(57)【特許請求の範囲】
【請求項１】
少なくとも１つの通信局が制御信号を供給する基地局モードで機能し、制御信号を供給しない通信局が移動局モードで機能して、通信局間で通信する通信方法であって、
情報を送信する必要のある第１の通信局で、
前記情報を伝達可能な基地局モードで機能している第２の通信局の存在を判定し、
前記基地局モードで機能している第２の通信局が存在しないと判定すると、前記第１の通信局が基地局モードで機能し始め、
前記情報の送信先の移動局に前記情報を送信し、
前記情報の送信先の移動局からの通信のみを受け入れ、他の移動局からの通信要求は、拒否することを特徴とする通信方法。
【請求項２】
前記情報の送信が完了すると、前記第１の通信局が移動局モードで機能し始めることを特徴とする、請求項１に記載の通信方法。
【請求項３】
少なくとも１つの通信局が制御信号を供給する基地局モードで機能し、制御信号を供給しない通信局が移動局モードで機能して、通信局間で通信するための通信装置であって、
第１の通信局が情報を送信する必要があるときに、前記情報を伝達可能な基地局モードで機能している第２の通信局の存在を判定する手段と、
第１の通信局が情報を送信する必要があるときに、前記基地局モードで機能している第２の通信局が存在しないと判定すると、前記通信の機能を基地局モードに切り替える手段と、
前記情報の送信先の移動局に前記情報を送信する送信手段と、
前記情報の送信先の移動局からの通信のみを受け入れ、他の移動局からの通信要求は、拒否する手段とを有することを特徴とする通信装置。
【請求項４】
前記情報の送信が完了すると、前記第１の通信局の機能モードを移動局モードに切り替えることを特徴とする、請求項３に記載の通信装置。
【請求項５】
コンピュータ又はマイクロプロセッサによって読取り可能な記憶媒体であって、
請求項１又は２に記載の通信方法を実現することを特徴とするコンピュータ・プログラムの命令を格納する記憶媒体。
【発明の詳細な説明】
【０００１】
【発明の属する技術分野】
本発明は、ネットワーク上で通信する通信方法及び装置に関し、特に、集中型アーキテクチャを備えたローカル無線ネットワークに適用され、それぞれの通信が「固定部分」と呼ばれる基地通信局と、「携帯部分」と呼ばれる移動通信局との間で構成される。
【０００２】
【従来の技術】
このような通信ネットワークの一例は、ヨーロッパのＤＥＣＴ規格（「Digital Enhanced Cordless Telecommunication」）を使用する電話によって示されている。
【０００３】
このようなローカル・ネットワークでは、基地局はネットワーク内のすべての移動局に同期信号を供給する。従って、互いに同期をとる１組の通信局（基地局と１つ又は複数の移動局）はセルを構成する。
【０００４】
このようなネットワークの特定の問題は、基地局がない場合、移動局同士が同期していないので移動局間の通信がまったく不可能であることである。
【０００５】
ヨーロッパのＤＥＣＴ規格を使用するローカル無線ネットワークについて記載した米国特許第５５９８４０７号が知られている。このネットワークは、１つの固定基地局と複数の移動局からなる。基地局がない場合、ネットワーク内に存在する移動局間の通信はまったく不可能である。
【０００６】
マスタ・ノードを動的に変更することができるローカル無線ネットワークについて記載した米国特許第５５５１０６６号も知られている。このシステムでは、すべてのノードは同等であり、マスタ・ノードはいったん選択されると決定的にマスタであり続ける。
【０００７】
【発明が解決しようとする課題】
本発明は、基地局がない場合に移動局が基地局の役割を果たせるようにすることにより、この欠点を矯正しようとするものである。従って、永久基地局がない場合でもネットワークを確立することができる。
【０００８】
本発明の他の目的は、基地局がない場合にローカル無線ネットワークを動的に確立することを可能にすることにある。
【０００９】
【課題を解決するための手段】
本発明は、少なくとも１つの通信局が制御信号を供給する基地局モードで機能し、制御信号を供給しない通信局が移動局モードで機能して、通信局間で通信する通信方法であって、情報を送信する必要のある第１の通信局で、前記情報を伝達可能な基地局モードで機能している第２の通信局の存在を判定し、前記基地局モードで機能している第２の通信局が存在しないと判定すると、前記第１の通信局が基地局モードで機能し始め、前記情報の送信先の移動局に前記情報を送信し、前記情報の送信先の移動局からの通信のみを受け入れ、他の移動局からの通信要求は、拒否することを特徴とする。
【００１０】
このような構成により、使用可能な基地局が存在しないときに、情報を送信する必要のある通信局は、この情報の送信を行い、他の移動局からの通信要求は拒否する。
【００１３】
特定の特性によれば、前記情報の送信が完了すると、前記第１の通信局が移動局モードで機能し始める。
【００１４】
このような構成により、基地局機能モードに切り替わった通信局は、移動局モードで機能している他の通信局が通信できるようにする。
【００１５】
例えば、ＤＥＣＴ規格を使用するタイプの集中型アーキテクチャを備えたローカル無線ネットワークでは、認証（ＤＥＣＴユーザ又はＤＥＣＴ機器の要素がＤＥＣＴサービス又は機器の要素の合法的ユーザとして明確に確認できるようにするプロセス）及びデータの暗号化（又は「暗合使用」であって、暗号解読キーを有するエンティティのみが理解できるように送信した情報のコード化を可能にするプロセス）など、セキュリティに関する標準化された手順は、移動局と基地局とを接続する無線リンク上でのデータの転送を安全なものにするためにのみ機能する。従って、基地局レベルでは機密性が実現されない。これは、互いに通信している複数の移動局が、当面はそれらが属しているセルに対して訪問局になるという特定の問題になる可能性がある。というのは、それらが交換するデータは基地局に接続されたデータ処理システムが使用できるからである。
【００１６】
従って、ＤＥＣＴ規格（１９９２年１０月にＥＴＳＩによって発行されたＥＴＳ３００１７５）では、海賊盗聴から護るために無線リンク・レベルでは移動局と基地局との間の伝送のみが保護される。同様に、無線リンク上の通信のみを暗号化又はコード化する集中型無線通信システムについて記載した米国特許第４５５５８０５号が知られている。
【００２６】
【発明の実施の形態】
以下に示す説明では、「通信装置」という用語は、一方ではＤＥＣＴ規格により、もう一方では添付図面に関連して説明する様々な動作モードにより、それが通信ネットワーク内で基地局又は移動局として動作できるようにする通信局の一部を意味する。拡大解釈すれば、「通信装置」という用語は、それを含む通信局全体を意味する。
【００２７】
図１は、従来技術で既知の通り、基地局によって送信される信号上に移動局をロックする手順を示している。
【００２８】
移動局に電源を投入すると、移動局は内部初期設定状態１０１に入る。次に、動作１０２中に移動局は、ＤＥＣＴ規格による通信用に割り振られた周波数帯域（即ち、１８８０〜１９００ＭＨｚ）内の次のチャネル（そのうちの１０個が存在する）での受信モードに入り、それに適した基地局によって送信される信号を探す。動作１０２を最初に反復した場合、選択されるのは第１のチャネルである。動作１０２を実行する前に最後のチャネルを検討した場合、動作１０２中に選択されるのは第１のチャネルである。
【００２９】
次に、テスト１０３中に移動局は、基地局から送信される同期パルスを検出するために、所定の期間の間、検討中の無線チャネル上で聴取する。従って、移動局は、同期信号を送信するために基地局が検討中のチャネルを使用しているか否かを判定する。
【００３０】
テスト１０３の結果が否定である場合、テスト１０４中に移動局は、検討中のチャネルが最後のチャネルであるか否かを判定する。テスト１０４の結果が否定である場合、動作１０２を反復する。テスト１０４の結果が肯定である場合、動作１０５中に移動局は待機モードに入り、次に動作１０７中に所定の期間Ｔ０（移動局のエネルギー資源の減少関数になりうるもの）の間待機してから動作１０２を反復する。
【００３１】
テスト１０３の結果が肯定である場合、テスト１０８中に移動局は、それが同期信号を送信する基地局へのアクセス権を有するか否かを判定する。
【００３２】
このため、テスト１０３の結果が肯定である場合、移動局は、マルチフレームごとに（各マルチフレームは持続期間が１０ミリ秒の１６個のフレームから構成される）基地局によって同報通信される情報を入手することができる。基地局によって同報通信される情報の中には、特に、検討中の基地局へのアクセス権を定義する、いわゆる「ＡＲＩ」パラメータ（「Access Rights Identity」という単語の頭文字）が存在する。「ＰＡＲＫ」（「Portable Access Rights Key」という単語の頭文字）と呼ばれる少なくとも１つのアイデンティティを有する各移動局ごとに、テスト１０８中にテストされるのは、「ＰＡＲＫ」アイデンティティのうちの少なくとも１つと「ＡＲＩ」パラメータとの対応関係である。
【００３３】
テスト１０８の結果が否定である場合、テスト１０４を実行する。テスト１０８の結果が肯定である場合、動作１０９中に移動局は、検討中のチャネルで検出される同期信号を送信している基地局上にロックする。
【００３４】
動作１０９の終わりに移動局は、そのＡＲＩパラメータがその「ＰＡＲＫ」アイデンティティのうちの少なくとも１つに対応する基地局によって同報通信される情報を入手することができる。
【００３５】
次に移動局は、その上に移動局がロックされる基地局により接続を開始するか又は受け入れることができる。次に移動局は、やはり同じ基地局上にロックされる他の移動局と通信することができ、特に、例えば電話により基地局が他のネットワークへのアクセス・ポイントを供給するときは基地局自体と通信することができる。
【００３６】
但し、同期信号を送信する基地局がまったく存在しない場合、従来技術によれば、移動局間のいかなる通信も不可能であることに留意されたい。
【００３７】
図２は、１つかつ同一のローカル・エリア２００内の本発明による様々な通信装置を示している。即ち、
−通信装置２０２及び２０３は、例えばＤＥＣＴ  ＧＡＰ（「Generic Access Profile」という単語の頭文字）規格に準拠し、携帯電話音声伝送専用の既知のタイプの電話である。
【００３８】
−通信装置２０１、２０４、２０５は、セル２００内で基地局又は移動局として動作可能なマルチメディア端末である。
【００３９】
上記かつ図示の実施例では、通信装置２０１、２０４、２０５は、ＤＥＣＴ  ＧＡＰ規格をサポートし、２４キロビット／秒の速度までのデータ転送に関するタイプ「Ａ」のデータ・プロファイルに準拠する。また、通信装置２０１は、５５２キロビット／秒の速度までのデータ転送に関するタイプ「ＡＢ」のデータ・プロファイルにも準拠するが、ユーザによる手動操作後にのみ基地局に切り替わることができる。
【００４０】
本発明による各装置２０１、２０４、２０５は、デフォルトでは図１の記述通りに動作し、即ち、初期設定時に移動局機能モードに入る。
【００４１】
図３Ａには、本発明の第２の態様による各通信装置２０１、２０４、又は２０５がバス３０１によって、
−制御装置３０６と、
−ＤＥＣＴベース・バンド・ユニット３０２と、
−送信／受信アンテナ３０７に加え、それ自体が接続されたＤＥＣＴ無線ユニット３０３と、
−ランダム・アクセス・メモリ３０４と、
−読取り専用メモリ３０５と、
−キーボード３０７と、
−ディスプレイ３０８と、
−電源３１０（電池、蓄電池、又は商用電源）に加え、それ自体が接続されたエネルギー・レベル制御装置３０９と、
−入出力インタフェース３１１とをまとめて接続していることが示されている。
【００４２】
制御装置３０６及び３０９とＤＥＣＴベース・バンド・ユニット３０２は、実際には、プロセッサと、読取り専用メモリ３０５に格納されたオペレーティング・プログラムからなる。
【００４３】
ＤＥＣＴベース・バンド・ユニット３０２は、既知のタイプのものであり、本発明の時点までに知られているＤＥＣＴ規格のすべての能力を利用するように適合されている。
【００４４】
制御装置３０６は、本発明の第１の態様の方法と、特に添付図面に示す流れ図を実現するように適合されている。エネルギー・レベル制御装置３０９は、タイミング値（以下を参照のこと）を決定するために、既知の方式で使用可能なエネルギー・レベルを評価するためのものである。
【００４５】
ランダム・アクセス・メモリ３０４は、便宜上、それらが含むデータと同じ名前をそれぞれ有するレジスタ内に、
−一時的変数ｌ及びｋと、
−現行動作モード、即ち、移動局か基地局かを表す変数「ＭＯ」と、
−使用可能なランダム・アクセス・メモリを表す変数「ＭＤ」と、
−使用可能なメモリ・エリアが２つの所定の値ＭＤ＿Ｎ１及びＭＤ＿Ｎ２未満の容量を有するか、この２つの所定の値の間であるか、又はこの２つの所定の値より大きいかに応じて３つの値「０」、「１」、「２」のうちの１つを取る、使用可能なメモリの値係数を表す変数「ＣＭＤ」と、
−データの受信又は送信用に予約されたメモリ・エリア「Ｔｘ／Ｒｘ」と、
−基地局に対して宣言された移動局（本発明の第２の態様による装置を含む）のアイデンティティのリストと、これらの移動局に関連する情報を含むテーブル「Ｔａｂｌｅ＿ＳＭ」と、
−本発明の第２の態様による装置、即ち、自動的に動作モードを変更可能な装置（例えば、通信局２０４及び２０５）のアイデンティティのリストを含むリスト「Ｌｉｓｔ＿ＳＭ＿ａｕｔｏ」と、
−そのユーザの介入により動作モードを変更可能な移動局（例えば、通信局２０１）のアイデンティティのリストを含むリスト「Ｌｉｓｔ＿ＳＭ＿ｍａｎｕａｌ」と、
−基地局なしに互いに直接通信可能な移動局のアイデンティティのリストを含むリスト「Ｌｉｓｔ＿ＳＭ＿ｄｉｒｅｃｔ」とを格納する。
【００４６】
読取り専用メモリ３０５は、便宜上、それらが含むデータと同じ名前をそれぞれ有するレジスタ内に、
−装置のメモリ容量に関する情報項目「ＣＭ」と、
−装置のプロセッサの処理能力に関する情報項目「ＣＰ」と、
−装置によって（実際にはそのＤＥＣＴベース・バンド・ユニット３０２によって）サポートされるＤＥＣＴ規格のプロファイルを表すインジケータ「ＩＰ」と、
−ＤＥＣＴでサポートされる時間間隔（この説明の残りの部分、特に図１７では通信分野の当業者による使用法による用語である「スロット」と呼ぶ）のタイプ（単スロット、倍スロット、又は半スロット）を表す情報項目「ＴＳ」と、
−装置によってサポートされる最大データ転送速度（例えば、２４〜５５２キロビット／秒）を表す情報項目「ＤＭ」と、
−メモリ・エリア容量値ＭＤ＿Ｎ１及びＭＤ＿Ｎ２と、
−そのアイデンティティを表す情報項目と、
−サポートされるＤＥＣＴプロファイルの数を表す係数「ＣＰＲ」と、
−装置の動作能力を表す情報項目「ＣＯ」であって、
・「ＳＢ」：装置は基地局モードのみで動作することができる、
・「ＳＭ」：装置は移動局モードのみで動作することができる、
・「ＳＢ／ＳＭ＿ｍａｎｕａｌ」：装置はそのユーザの介入により動作モードを変更することができる、
・「ＳＢ／ＳＭ＿ａｕｔｏ」：装置は自動的に動作モードを変更することができる、
・「ＳＭ／ＳＭ＿ｄｉｒｅｃｔ」：装置は、その情報「ＣＯ」が「ＳＭ／ＳＭ＿ｄｉｒｅｃｔ」という値を取る他の移動局と直接通信することができる、
という値を取ることができる情報項目「ＣＯ」と、
−基地局機能モードから移動局機能モードへ及びその逆の自動又は手動切替え能力を表す情報項目「ＢＡ」（「ＢＡ」は、この能力が存在するときに「真」になり、そうではないときに「偽」になる）とを格納する。
【００４７】
読取り専用メモリ３０５は、コンピュータ又はマイクロプロセッサによって読取り可能であり、本発明の第１の態様の方法を実現することを特徴とするコンピュータ・プログラムの命令を格納する、情報記憶手段を構成する。変形態様によれば、読取り専用メモリ３０５は、部分的又は全体的に取外し可能であり、例えば磁気ストリップ、フラッシュ・メモリ、ディスケット、又は固定メモリ・コンパクト・ディスク（ＣＤ−ＲＯＭ）を有する。
【００４８】
図３Ｂには、本発明の第４及び第６の態様による各通信装置２０１、２０４、又は２０５がバス３０１によって、
−制御装置３０６と、
−ＤＥＣＴベース・バンド・ユニット３０２と、
−送信／受信アンテナ３０７に加え、それ自体が接続された無線ユニット３０３と、
−ランダム・アクセス・メモリ３０４と、
−読取り専用メモリ３０５と、
−キーボード３０７と、
−ディスプレイ３０８と、
−電源３１０（電池、蓄電池、又は商用電源）に加え、それ自体が接続されたエネルギー・レベル制御装置３０９と、
−入出力インタフェース３１１と、
−通信品質制御装置３１２とをまとめて接続していることが示されている。
【００４９】
制御装置３０６及び３０９とＤＥＣＴベース・バンド・ユニット３０２は、実際には、プロセッサと、読取り専用メモリ３０５に格納されたオペレーティング・プログラムからなる。
【００５０】
ＤＥＣＴベース・バンド・ユニット３０２は、既知のタイプのものであり、本発明の時点までに知られているＤＥＣＴ規格のすべての能力を利用するように適合されている。
【００５１】
制御装置３０６は、本発明の第３及び第５の態様の方法と、特に添付図面に示す流れ図を実現するように適合されている。エネルギー・レベル制御装置３０９は、
−時間遅延値（以下を参照のこと）と、
−基地局になるか又はそれを持続できる能力とを決定するために、
−既知の方式で電源のタイプ（商用電源又は電池）を認識し、通信装置に使用可能なエネルギー・レベルを評価するためのものである。
【００５２】
通信品質制御装置３１２は、無線信号の品質を評価し、この品質を表す値ＱＲを供給するように適合されている。
【００５３】
ランダム・アクセス・メモリ３０４は、便宜上、それらが含むデータと同じ名前をそれぞれ有するレジスタ内に、
−一時的変数ｌ及びｋと、
−制御装置３１２によって測定された無線信号の品質を表す値「ＱＲ」と、
−使用可能なエネルギー量を表す値「ＮＢ」と、
−基地局モードでの通信局の過去の機能を表す値「ＤＢ」と、
−現行動作モード、即ち、移動局か基地局かを表す変数「ＭＯ」と、
−使用可能なランダム・アクセス・メモリを表す変数「ＭＤ」と、
−使用可能なメモリ・エリアが２つの所定の値ＭＤ＿Ｎ１及びＭＤ＿Ｎ２未満の容量を有するか、この２つの所定の値の間であるか、又はこの２つの所定の値より大きいかに応じて３つの値「０」、「１」、「２」のうちの１つを取る、使用可能なメモリの値係数を表す変数「ＣＭＤ」と、
−データの受信又は送信用に予約されたメモリ・エリア「Ｔｘ／Ｒｘ」と、
−基地局に対して宣言された移動局（本発明の第４及び第６の態様による装置を含む）のアイデンティティのリストと、これらの移動局に関連する情報を含むテーブル「Ｔａｂｌｅ＿ＳＭ」と、
−本発明の第４及び第６の態様による装置、即ち、自動的に動作モードを変更可能な装置（例えば、通信局２０４及び２０５）のアイデンティティのリストを含むリスト「Ｌｉｓｔ＿ＳＭ＿ａｕｔｏ」と、
−そのユーザの介入により動作モードを変更可能な移動局（例えば、通信局２０１）のアイデンティティのリストを含むリスト「Ｌｉｓｔ＿ＳＭ＿ｍａｎｕａｌ」と、
−基地局なしに互いに直接通信可能な移動局のアイデンティティのリストを含むリスト「Ｌｉｓｔ＿ＳＭ＿ｄｉｒｅｃｔ」とを格納する。
【００５４】
読取り専用メモリ３０５は、便宜上、それらが含むデータと同じ名前をそれぞれ有するレジスタ内に、
−装置のメモリ容量に関する情報項目「ＣＭ」と、
−装置のプロセッサの処理能力に関する情報項目「ＣＰ」と、
−最小通信品質値ＱＲ＿ｍｉｎと、
−最大通信品質値ＱＲ＿ｍａｘと、
−最小使用可能エネルギー量値ＮＢ＿ｍｉｎと、
−最大使用可能エネルギー量値ＮＢ＿ｍａｘと、
−装置によって（実際にはそのＤＥＣＴベース・バンド・ユニット３０２によって）サポートされるＤＥＣＴ規格のプロファイルを表すインジケータ「ＩＰ」と、
−プリンタ、複写機、ファクシミリ・マシン、又はオフィス・コンピュータの場合、ならびにより一般的には、一般に商用電源に接続されるか又はその通信局が商用電源に接続されていることを示す商用電源への接続を検出する手段を有する機器の場合に「２」になる「ＣＥ＿ＨＩＧＨ」と、ポータブル・コンピュータの場合、ならびにより一般的には、商用電源又は電池のいずれかで動作可能な通信局の場合に「１」になる「ＣＥ＿ＭＩＤ」と、ポケット・オーガナイザ又は携帯電話の場合、ならびにより一般的には、ほとんど電池でのみ動作する通信局の場合に「０」になる「ＣＥ＿ＬＯＷ」という３つの値により、検討中の通信局のエネルギー源を表すエネルギー係数「ＣＥ」と、
−プリンタ、複写機、ファクシミリ・マシン、又はオフィス・コンピュータの場合、ならびにより一般的には、一般に固定されている機器の場合に「２」になる「ＣＦ＿ＨＩＧＨ」と、ポータブル・コンピュータの場合、ならびにより一般的には、移動可能であるが、一般にその動作中は移動しない通信局の場合に「１」になる「ＣＦ＿ＭＩＤ」と、ポケット・オーガナイザ又は携帯電話の場合、ならびにより一般的には、その使用中に移動する可能性のある通信局の場合に「０」になる「ＣＦ＿ＬＯＷ」という３つの値により、検討中の通信局の通常移動度を表す固定係数「ＣＦ」と、
−他のいかなるネットワークにもアクセス不能であるときに「０」になり、他のネットワークにアクセス可能であるときに非ゼロになる、通信局によってアクセス可能なネットワークのタイプを表すネットワーク・インタフェース情報項目「ＩＲ」であって、「ＩＲ」の２進表現において「１」になるビットの位置がどのタイプのネットワークにアクセス可能であるか、即ち、
ｘｘｘｘ  ｘｘｘ１  ＰＳＴＮ（公衆交換電話網）
ｘｘｘｘ  ｘｘ１ｘ  ＩＳＤＮ（統合サービス・ディジタル網）
ｘｘｘｘ  ｘ１ｘｘ  ＬＡＮ（ローカル・エリア・ネットワーク）
ｘｘｘｘ  １ｘｘｘ  ＡＴＭ（非同期転送モード）
を示す情報項目と、
−アクセス可能な外部ネットワークの数を表すネットワーク・インタフェース係数「ＣＩＲ」と、
−ＤＥＣＴでサポートされる時間間隔（この説明の残りの部分、特に図１７では通信分野の当業者による使用法による用語である「スロット」と呼ぶ）のタイプ（単スロット、倍スロット、又は半スロット）を表す情報項目「ＴＳ」と、
−装置によってサポートされる最大データ転送速度（例えば、２４〜５５２キロビット／秒）を表す情報項目「ＤＭ」と、
−メモリ・エリア容量値ＭＤ＿Ｎ１及びＭＤ＿Ｎ２と、
−そのアイデンティティを表す情報項目と、
−サポートされるＤＥＣＴプロファイルの数を表す係数「ＣＰＲ」と、
−装置の動作能力を表す情報項目「ＣＯ」であって、
・「ＳＢ」：装置は基地局モードのみで動作することができる、
・「ＳＭ」：装置は移動局モードのみで動作することができる、
・「ＳＢ／ＳＭ＿ｍａｎｕａｌ」：装置はそのユーザの介入により動作モードを変更することができる、
・「ＳＢ／ＳＭ＿ａｕｔｏ」：装置は自動的に動作モードを変更することができる、
・「ＳＭ／ＳＭ＿ｄｉｒｅｃｔ」：装置は、その情報「ＣＯ」が「ＳＭ／ＳＭ＿ｄｉｒｅｃｔ」という値を取る他の移動局と直接通信することができる、
という値を取ることができる情報項目「ＣＯ」と、
−基地局機能モードから移動局機能モードへ及びその逆の自動又は手動切替え能力を表す情報項目「ＢＡ」（「ＢＡ」は、この能力が存在するときに「真」になり、そうではないときに「偽」になる）とを格納する。
【００５５】
読取り専用メモリ３０５は、コンピュータ又はマイクロプロセッサによって読取り可能であり、本発明の第３及び第５の態様の方法を実現することを特徴とするコンピュータ・プログラムの命令を格納する、情報記憶手段を構成する。変形態様によれば、読取り専用メモリ３０５は、部分的又は全体的に取外し可能であり、例えば磁気ストリップ、フラッシュ・メモリ、ディスケット、又は固定メモリ・コンパクト・ディスク（ＣＤ−ＲＯＭ）を有する。
【００５６】
動作モード（基地局又は移動局）を判定するために制御装置３０６が従う手順については図４に詳しく示す。本発明の第２、第４、第６の態様による通信装置に電源を投入すると、通信装置は内部初期設定状態４０１に入る。次に、動作４０２中に通信装置は、動作１０２（図１）に関して開示したように、ＤＥＣＴ規格による通信用に割り振られた周波数帯域の次のチャネルでの受信モードに入る。
【００５７】
次に、テスト４０３中に通信装置は、基地局から送信される同期パルスを検出するために、所定の期間の間、検討中の無線チャネル上で聴取する（他の通信装置が基地局として動作している場合を含む）。従って、通信装置は、同期信号を送信するために基地局が検討中のチャネルを使用しているか否かを判定する。
【００５８】
テスト４０３の結果が否定である場合、テスト４０４中に通信装置は、検討中のチャネルが最後のチャネルであるか否かを判定する。テスト４０４の結果が否定である場合、動作４０２を反復する。
【００５９】
テスト４０３の結果が肯定である場合、テスト４０５中に通信装置は、動作１０８（図１）に関して開示したように、それが同期信号を送信する基地局へのアクセス権を有するか否かを判定する。
【００６０】
テスト４０５の結果が否定である場合、通信装置はテスト４０４を実行する。テスト４０５の結果が肯定である場合、動作１０９（図１）と同一の動作４０６中に通信装置は、検討中のチャネルで検出される同期信号を送信している基地局上にロックする。
【００６１】
動作４０６の終わりに通信装置は、そのＡＲＩパラメータがその「ＰＡＲＫ」アイデンティティの少なくとも１つに対応する基地局によって同報通信される情報を入手することができる。また、通信装置は、その上に装置がロックされる基地局により接続を開始するか又は受け入れることができる。次に通信装置は、一方では、他の移動局ならびに移動局として動作し、やはり同じ基地局上にロックされる本発明による通信装置と通信することができ、もう一方では、基地局自体又は基地局として動作する通信装置と通信することができる。
【００６２】
テスト４０４の結果が肯定である場合、動作４０７中に通信装置の制御装置３０６によりこの通信装置は基地局モードに切り替わる。
【００６３】
この基地局機能モードでは、装置は、テスト４０３の所定の持続期間より短い持続期間を有する定期的タイム・スロットで、ＤＥＣＴチャネルの１つで同期信号を送信する。定期的タイム・スロットの持続期間は、ＤＥＣＴ規格によれば、１６０ミリ秒である。
【００６４】
次に、通信装置は動作４０８で時間Ｔ１（例えば、１分）が経過するのを待ち、その間に基地局としてのその機能を続行してからテスト４０９を実行し、その間に通信装置は移動局がそれと同期しているかどうかを判定する（図５のテスト４０９の詳細を参照のこと）。
【００６５】
テスト４０９の結果が否定である場合、動作４１１中に制御装置３０６により機能モードが移動局モードに切り替わり、次に通信装置は、動作４１２で所定の時間Ｔ２が経過するのを待ち（例えば、エネルギー・レベル制御装置３０９によって評価された使用可能エネルギーの減少関数として）、その後、動作４０２を再開する。
【００６６】
テスト４０９の結果が肯定である場合、動作４１３中に通信装置は所定の時間Ｔ３が経過するのを待ち（例えば、エネルギー・レベル制御装置３０９によって評価された使用可能エネルギーの増加関数として）、その間に基地局モードでのその機能を続行してからテスト４１４を実行し、その間に通信装置は移動局との少なくとも１つの通信が活動状態になっているか否かを判定する。テスト４１４の結果が肯定である場合、それを反復する。テスト４１４の結果が否定である場合、動作４１５中に制御装置３０６により通信装置が基地局モードから移動局モードに切り替わる。次に、通信装置は動作４０２を反復する。
【００６７】
図４の流れ図によれば、
−移動局機能モードで通信装置がいかなる基地局も検出しなかった場合、その通信装置は基地局機能モードになり、
−基地局機能モードで通信装置がいかなる移動局も検出しなかった場合、その通信装置は移動局機能モードになるという２通りの動作基準を使用することに留意されたい。
【００６８】
さらに、基地局機能モードで通信装置が移動局とのいかなる通信も検出しなかった場合、その通信装置は移動局機能モードになる。後者の構成の目的は、他の基地局を検出できるかどうかをもう一度探求する前に基地局を移動局モードに戻すことである。
【００６９】
移動局（移動局として動作する本発明の第２、第４、第６の態様による通信装置の場合を含む）の存在を検出するために、図５に関連して、基地局モードで機能可能な各通信装置に対して各通信装置及びそれと通信可能な各移動局のアイデンティティを通知する場合を選択する。
【００７０】
この場合、通信装置はまず第１にテスト５０１（図５）を実行し、その間に制御装置３０６は通信装置と通信可能な移動局のリストが空であるか否かを判定する。テスト５０１の結果が肯定である場合、テスト４０９の結果は否定であり、動作５０２に移行する。テスト５０１の結果が否定である場合、動作５０３中に、前記リスト上でインジケータとして機能する一時的変数ｌが値「０」に初期設定される。次に動作５０４中に通信装置は、リストのｌ番目の識別子によって識別される装置への応答を要求するメッセージをネットワークに送信する。次に通信装置は、動作５０５で所定の時間Ｔ４が経過するのを待ち、その後、テスト５０６を実行し、その間にそれは応答メッセージが通信装置によって送信されたか否かを判定する。テスト５０６の結果が肯定である場合、テスト５０７中に装置は、応答メッセージを送信した装置のアイデンティティが動作５０４中に呼び出された装置のアイデンティティに対応するかどうかを判定する。テスト５０７の結果が肯定である場合、テスト４０９の結果は肯定であり、動作５１０に移行する。テスト５０７の結果が否定である場合又はテスト５０６の結果が否定である場合、動作５０８中に変数ｌの値を増分する。
【００７１】
次にテスト５０９中に通信装置は、変数ｌの値がリストのサイズ以下であるか否かを判定する。テスト５０９の結果が肯定である場合、動作５０４を反復する。テスト５０９の結果が否定である場合、テスト４０９の結果は否定であり、動作５０２に移行する。
【００７２】
変形態様として、移動局の存在を検出するために、以下の手順を使用する。即ち、移動局が基地局を検出し、この基地局上にロックした場合、移動局はそのアイデンティティとその能力（以下を参照のこと）を表すメッセージを基地局に送信する。次に基地局は、セル内に存在する移動局のリストを更新することができる。反対に、移動局がセル（即ち、基地局の有効範囲のエリア）から去った場合又は切断する前に、移動局は、それがそのアクセス権を終了することを示すメッセージを基地局に送信する。
【００７３】
但し、信号受信パワーを分析することにより移動局がそのセルから去ったことを検出する手順は従来技術により既知のものであることに留意されたい。
【００７４】
図６Ａは、本発明の第１及び第２の態様による、ネットワーク内の通信局の動作モード能力に関する情報の構成を示す図である。この情報は、規格では「プロプラエタリへのエスケープ（escape-to-proprietary）」と呼ばれる非標準化情報の転送用に予約されたフィールドを使用してＤＥＣＴプロトコル・メッセージで伝送することができる。本発明の第１及び第２の態様によれば、この非標準化情報は、規格内の以下のメッセージでのみ使用する。
【００７５】
−「アクセス権要求」
−「位置指定要求」（接続要求を含む）
図６Ａに示すフィールドの第１のオクテット６０１は、後続の情報要素がＤＥＣＴプロトコル・メッセージ内で送信すべき非標準化情報であることを示す。第２のオクテット６０２は、伝送すべき情報オクテット番号を含む。第３のオクテット６０３は、オクテット６０４及び６０５がＥＭＣ（「機器メーカ・コード」）パラメータを含むことを示し、それはこのプロプラエタリ情報を使用するメーカを識別する働きをする。従って、ある機器の要素がオクテット６０４及び６０５によって示されるものとは異なるＥＭＣパラメータを有する場合、それは後続の情報を処理しない。
【００７６】
当然、本発明が異なるメーカ間の標準化の対象になる場合、オクテット６０１、６０４、６０５は同じように使用されなくなるだろう。
【００７７】
オクテット６０６は、移動局として動作する装置の動作能力ＣＯ（説明し図示した実施形態ではその値と同じ）を表す。後続のオクテット６０７〜６１１は、伝送すべき情報オクテットの数（オクテット６０２が表す数）から４を引いたものに等しい数を有し、その装置が基地局として動作する能力に関するより精密な情報を伝送する働きをする。例えば、以下のパラメータを伝送することができる。
【００７８】
−装置のメモリ容量（オクテット６０７）
−装置のメモリの充填度（オクテット６０８）
−装置のプロセッサのパワー、速度（オクテット６０９）
−装置によってサポートされる最大転送速度（オクテット６１０）
情報オクテット６０７〜６１０の位置ビット８（左側）は、以下の値のうちの１つを取る。
【００７９】
−「１」情報要素がこのメッセージで伝送される場合
−「０」オクテットの後続ビットの値が何の意味も持たない場合（情報要素がメッセージで伝送されない）
図６Ｂは、本発明の第３及び第６の態様による、ネットワーク内の通信局の動作モード能力に関する情報の構成を示す図である。この情報は、規格では「プロプラエタリへのエスケープ」と呼ばれる非標準化情報の転送用に予約されたフィールドを使用してＤＥＣＴプロトコル・メッセージで伝送することができる。本発明によれば、この非標準化情報は、規格内の以下のメッセージでのみ使用する。
【００８０】
−「アクセス権要求」
−「位置指定要求」（接続要求を含む）
図６Ｂに示すフィールドの第１のオクテット７０１は、後続の情報要素がＤＥＣＴプロトコル・メッセージ内で送信すべき非標準化情報であることを示す。第２のオクテット７０２は、伝送すべき情報オクテット番号を含む。第３のオクテット７０３は、オクテット７０４及び７０５がＥＭＣ（「機器メーカ・コード」）パラメータを含むことを示し、それはこのプロプラエタリ情報を使用するメーカを識別する働きをする。従って、ある機器の要素がオクテット７０４及び７０５によって示されるものとは異なるＥＭＣパラメータを有する場合、それは後続の情報を処理しない。
【００８１】
当然、本発明が異なるメーカ間の標準化の対象になる場合、オクテット７０１、７０４、７０５は同じように使用されなくなるだろう。
【００８２】
オクテット７０６は、移動局として動作する装置の動作能力ＣＯ（説明し図示した実施形態ではその値と同じ）を表す。後続のオクテット７０７〜７１１は、伝送すべき情報オクテットの数（オクテット７０２が表す数）から４を引いたものに等しい数を有し、その装置が基地局として動作する能力に関するより精密な情報を伝送する働きをする。例えば、以下のパラメータを伝送することができる。
【００８３】
−装置のメモリ容量（オクテット７０７）
−装置のメモリの充填度（オクテット７０８）
−装置のプロセッサのパワー、速度（オクテット７０９）
−装置によってサポートされる最大転送速度（オクテット７１０）
−固定係数「ＣＦ」（オクテット７１２）
−エネルギー係数「ＣＥ」（オクテット７１３）
−ネットワーク・インタフェース「ＩＲ」（オクテット７１４）
情報オクテット７０７〜７１２の位置ビット８（左側）は、以下の値のうちの１つを取る。
【００８４】
−「１」情報要素がこのメッセージで伝送される場合
−「０」オクテットの後続ビットの値が何の意味も持たない場合（情報要素がメッセージで伝送されない）
図７は、移動局が基地局へのアクセス権を取得する方法及びそのアクセス権を終了する方法を示している。このアクセス権手順により、基地局及び移動局はそれぞれのアイデンティティと、移動局の能力に関する情報を交換することができる。移動局は、特にフィールド「端末能力」に移動局の能力を含むメッセージ「ａｃｃｅｓｓ＿ｒｉｇｈｔｓ＿ｒｅｑｕｅｓｔ」を基地局に送信することにより、手順を開始する。このフィールドでは、本発明の第１〜第６の態様により、プロファイル・インジケータ・パラメータ（「プロファイル・インジケータ」）とスロット・タイプ・パラメータ（「スロット・タイプ能力」）を使用する（以下を参照のこと）。
【００８５】
本発明の第１及び第２の態様による装置の機能に必要な追加情報は、メッセージ「ａｃｃｅｓｓ＿ｒｉｇｈｔｓ＿ｒｅｑｕｅｓｔ」のフィールド「プロプラエタリへのエスケープ」で伝送される（図６Ａ）。
【００８６】
基地局がメッセージ「ａｃｃｅｓｓ＿ｒｉｇｈｔｓ＿ｒｅｑｕｅｓｔ」を受信したときに、移動局が基地局の資源にアクセスすることが許可されている場合、後者はメッセージ「ａｃｃｅｓｓ＿ｒｉｇｈｔｓ＿ａｃｃｅｐｔ」を返し、宣言された移動局のテーブルにメッセージ「ａｃｃｅｓｓ＿ｒｉｇｈｔｓ＿ｒｅｑｕｅｓｔ」を送信した移動局に関する情報を追加する。
【００８７】
このように収集した情報は、以下のように構成され、ランダム・アクセス・メモリ３０４のｔａｂｌｅ＿ＳＭに格納される。
【００８８】
番号  アイデンティティ  CO  CM  RM  CP  IP  TS  DM  …
１
２
…
移動局がｔａｂｌｅ＿ＳＭに追加されると、それに関する以下の情報がそこに格納される。
【００８９】
−その移動局アイデンティティ
−その動作能力（ＣＯ）
−そのメモリ容量（ＣＭ）
−そのメモリの充填度（ＲＭ）
−そのプロセッサ処理能力（ＣＰ）
−そのプロファイル・インジケータ（ＩＰ）
−そのスロット・タイプ能力（ＴＳ）
−その最大スループット（ＤＭ）ならびにおそらくそれを特徴付ける他の情報パラメータＩＰ及びＴＳはメッセージ「ａｃｃｅｓｓ＿ｒｉｇｈｔｓ＿ｒｅｑｕｅｓｔ」のフィールド「端末能力」に読み込まれ、パラメータＣＯ、ＣＭ、ＲＭ、ＣＰ、ＤＭは図６Ａに示すフィールド「プロプラエタリへのエスケープ」に読み込まれる。移動局が基地局へのそのアクセス権を終了したいと希望する場合、移動局はメッセージ８０３「ａｃｃｅｓｓ＿ｒｉｇｈｔｓ＿ｔｅｒｍｉｎａｔｅ＿ｒｅｑｕｅｓｔ」を送信する。次に基地局はそのｔａｂｌｅ＿ＳＭ内のこの移動局に関する情報を消去し、メッセージ「ａｃｃｅｓｓ＿ｒｉｇｈｔｓ＿ｔｅｒｍｉｎａｔｅ＿ａｃｃｅｐｔ」８０４を返す。その後、移動局は基地局の資源をもはや使用できなくなる。
【００９０】
本発明の第３〜第６の態様による装置の機能に必要な追加情報は、メッセージ「ａｃｃｅｓｓ＿ｒｉｇｈｔｓ＿ｒｅｑｕｅｓｔ」のフィールド「プロプラエタリへのエスケープ」で伝送される（図６Ｂ）。
【００９１】
基地局がメッセージ「ａｃｃｅｓｓ＿ｒｉｇｈｔｓ＿ｒｅｑｕｅｓｔ」を受信したときに、移動局が基地局の資源にアクセスすることが許可されている場合、後者はメッセージ「ａｃｃｅｓｓ＿ｒｉｇｈｔｓ＿ａｃｃｅｐｔ」を返し、宣言された移動局のテーブルにメッセージ「ａｃｃｅｓｓ＿ｒｉｇｈｔｓ＿ｒｅｑｕｅｓｔ」を送信した移動局に関する情報を追加する。
【００９２】
このように収集した情報は、以下のように構成され、ランダム・アクセス・メモリ３０４のｔａｂｌｅ＿ＳＭに格納される。
【００９３】
番号  アイデンティティ  CO  CM  RM  CP  IP  TS  DM  CE  CF  IR
１
２
…
移動局がｔａｂｌｅ＿ＳＭに追加されると、それに関する以下の情報がそこに格納される。
【００９４】
−その移動局アイデンティティ
−その動作能力（ＣＯ）
−そのメモリ容量（ＣＭ）
−そのメモリの充填度（ＲＭ）
−そのプロセッサ処理能力（ＣＰ）
−そのプロファイル・インジケータ（ＩＰ）
−そのスロット・タイプ能力（ＴＳ）
−その最大スループット（ＤＭ）
−そのエネルギー係数（ＣＥ）
−その固定係数（ＣＦ）
−そのネットワーク・インタフェース情報（ＩＲ）
及び、任意選択で、それを特徴付ける他の情報
パラメータＩＰ及びＴＳはメッセージ「ａｃｃｅｓｓ＿ｒｉｇｈｔｓ＿ｒｅｑｕｅｓｔ」のフィールド「端末能力」に読み込まれ、パラメータＣＯ、ＣＭ、ＲＭ、ＣＰ、ＤＭ、ＣＦ、ＣＥ、ＩＲは図６Ｂに示すフィールド「プロプラエタリへのエスケープ」に読み込まれる。移動局が基地局へのそのアクセス権を終了したいと希望する場合、移動局はメッセージ８０３「ａｃｃｅｓｓ＿ｒｉｇｈｔｓ＿ｔｅｒｍｉｎａｔｅ＿ｒｅｑｕｅｓｔ」を送信する。次に基地局はそのｔａｂｌｅ＿ＳＭ内のこの移動局に関する情報を消去し、メッセージ「ａｃｃｅｓｓ＿ｒｉｇｈｔｓ＿ｔｅｒｍｉｎａｔｅ＿ａｃｃｅｐｔ」８０４を返す。その後、移動局は、基地局の資源をもはや使用できなくなる。
【００９５】
図８Ａは、移動局がそれ自体を基地局に接続する方法又は基地局からそれ自体を切り離す方法を示す図である。移動局は、アクセス権を取得した基地局のセルに入ると、基地局への接続手順を開始しなければならない。この手順により、移動局は、それが呼を受信できる状態になっていることを基地局に示す。それ自体を接続するため、移動局は、特に通信局のアイデンティティと能力及び非標準化情報を送信する可能性に関する情報を含むメッセージ「Ｌｏｃａｔｅ＿ｒｅｑｕｅｓｔ」８１１を基地局に送信する。メッセージ「Ｌｏｃａｔｅ＿ｒｅｑｕｅｓｔ」８１１では、メッセージ「ａｃｃｅｓｓ＿ｒｉｇｈｔｓ＿ｒｅｑｕｅｓｔ」と同じ情報を基地局に転送することが可能である。移動局は、アクセス権手順のときに比べ、そのパラメータ（例えば、使用可能なメモリ空間）に対して重大な変更を行った場合、基地局にそれを通知するために図６Ａ及び図６Ｂに定義したフィールド「プロプラエタリへのエスケープ」を使用することができる。
【００９６】
基地局は、メッセージ「Ｌｏｃａｔｅ＿ｒｅｑｕｅｓｔ」８１１を受信すると、移動局がその「ｔａｂｌｅ＿ＳＭ」で識別されていることを確認し、肯定としてメッセージ「Ｌｏｃａｔｅ＿ａｃｃｅｐｔ」８１２を返す。次に基地局は、その動作能力ＣＯがＳＢ／ＳＭ＿ａｕｔｏに等しい場合はＬｉｓｔ＿ＳＭ＿ａｕｔｏ、その動作能力ＣＯがＳＢ／ＳＭ＿ｍａｎｕａｌに等しい場合はＬｉｓｔ＿ＳＭ＿ｍａｎｕａｌ、その動作能力がＳＭ／ＳＭ＿ｄｉｒｅｃｔに等しい場合は、Ｌｉｓｔ＿ＳＭ＿ｄｉｒｅｃｔという適切なリストに検討中の移動局を挿入するために、宣言された移動局のテーブルであるその「ｔａｂｌｅ＿ＳＭ」に含まれる情報を使用する。
【００９７】
接続の逆の手順は切離しである。移動局は、セルを去るか又は切断されると、メッセージ「ｄｅｔａｃｈ」８１３を基地局に送信し、次に基地局はその動作能力に対応するリストからその移動局を抹消する。
【００９８】
しかし、この切離し手順は、いつでもセルを去る移動局によって開始できるわけではない（例えば、故障又は過剰速度による）。図８Ｂの最後の部分は、基地局がそのランダム・アクセス・メモリ３０４に格納されたリストに保管している情報の妥当性を定期的に確認する方法を示している。
【００９９】
次に基地局は、そのフィールド「ｉｎｆｏ＿ｔｙｐｅ」が「ｌｏｃａｔｅ＿ｓｕｇｇｅｓｔ」に等しいメッセージ「ＭＭ＿ｉｎｆｏ＿ｓｕｇｇｅｓｔ」８２１によりその位置（又はその接続）を更新する手順を求め定期的に送信する。移動局の位置を更新する手順は接続手順と同じであり、メッセージ８２２及び８２３はメッセージ８１１及び８１２とそれぞれ同じである。
【０１００】
図７、図８Ａ及び図８Ｂに示す構成により、リストｌｉｓｔ＿ＳＭ＿ａｕｔｏは、セル内に存在し、基地局モードと移動局モードとを自動的に切り替える能力を有する移動局をすべて含む。
【０１０１】
図２３に関連して説明するように、ｌｉｓｔ＿ＳＭ＿ａｕｔｏは移動局が基地局になる能力の低下に応じて分類され、リスト内の第１の要素は基地局になる最良能力を有する移動局に関するものである。このリストを分類するため、各接続手順、切離し手順、又は更新手順後に、基地局はｔａｂｌｅ＿ＳＭ＿ａｕｔｏに格納されたすべてのパラメータ（本発明の第１及び第２の態様によるＣＭ、ＲＭ、ＣＰ、ＩＰ、ＴＳ、ＤＭ、…、本発明の第３〜第６の態様によるＣＭ、ＲＭ、ＣＰ、ＩＰ、ＴＳ、ＤＭ、ＣＦ、ＣＥ、ＩＲ）を考慮に入れる。
【０１０２】
ｌｉｓｔ＿ＳＭ＿ｍａｎｕａｌはｌｉｓｔ＿ＳＭ＿ａｕｔｏと同じようにソートされる。これらのリストは以下の状況で使用することができる。
【０１０３】
−基地局が電源切断又は移動局モードへの切替え後に非活動状態になり、基地局になる能力を有する移動局の中から交代基地局を探す。
【０１０４】
−基地局が過度に使用され（メモリが一杯、同時通信の数が所定の値を超える）、トラフィックの一部を引き継ぐために第２の基地局を探す。
【０１０５】
次に基地局は、ｌｉｓｔ＿ＳＭ＿ａｕｔｏ内の第１の移動局を選択する。ｌｉｓｔ＿ＳＭ＿ａｕｔｏが空である場合又はリストｌｉｓｔ＿ＳＭ＿ａｕｔｏ内の通信局のいずれも不適当である場合、基地局はｌｉｓｔ＿ＳＭ＿ｍａｎｕａｌに表された第１の移動局にたよることができる。次に基地局は、検討中の移動局で機能モードの変更が必要であることをユーザに警告するために、ディスプレイをトリガするメッセージを伝送するか、又は選択された移動局に信号を送信しなければならない。
【０１０６】
このリスト内に表された少なくとも１つの通信局をそれぞれ必要とするセル内部での通信がこの通信局によって直接構成されるように、基地局はｌｉｓｔ＿ＳＭ＿ｄｉｒｅｃｔを使用する。
【０１０７】
図９及び図１０は、例えば活動状態の基地局（「初期基地局」という）がもはや基地局としてのその役割を果たせなくなったときに、初期基地局が交代基地局（「最終基地局」という）を見つける方法（切断或いは移動局モードへの自動又は手動切替え）を示している。
【０１０８】
図９に示す手順は、活動状態の接続がまったくない場合にのみ、実施することができる。さらに、この手順の間、新しい接続要求はどのようなものでも拒否される。
【０１０９】
図９に示すように、初期基地局は、その間に（図１に示すように）他の基地局が存在するか否かを判定するテスト９０２を開始する。テスト９０２の結果が肯定である場合、手順は首尾良く完了する。というのは、初期基地局と通信する移動局はその通信のために後者と交代することができるからであり、初期基地局は動作９１２で機能モードを変更し、移動局になる。
【０１１０】
テスト９０２の結果が否定である場合、テスト９０３中に初期基地局はｌｉｓｔ＿ＳＭ＿ａｕｔｏが空であるか否かを判定する。テスト９０３の結果が肯定である場合、手順は失敗して終了する。というのは、いかなる移動局も基地局の役割を果たすことができないからである。そして、ユーザは動作９１３で、基地局がその活動を停止した場合にすべての通信が中断されるという通知を受ける。
【０１１１】
テスト９０３の結果が否定である場合、動作９０４中に変数ｌが値「０」に初期設定される。次に、動作９０５中に初期基地局はｌｉｓｔ＿ＳＭ＿ａｕｔｏ内のｌ番目の移動局に対してメッセージ「ｎｅｗ＿ｂａｓｅ＿ｒｅｑｕｅｓｔ」を送信する。動作９０５中に初期基地局は、本発明の第２、第４、第６の態様の目的である装置による移動局がテスト９０６を実行する前に応答できるように十分な期間、待機する。次に、このテスト９０６中に初期基地局は、それが検討中の移動局からメッセージ「ｎｅｗ＿ｂａｓｅ＿ａｃｃｅｐｔ」を受信したか否かを判定する。
【０１１２】
テスト９０６の結果が肯定である場合、動作９０７中に、テーブルｔａｂｌｅ＿ＳＭ、リストｌｉｓｔ＿ＳＭ＿ａｕｔｏ、ｌｉｓｔ＿ＳＭ＿ｍａｎｕａｌ、ｌｉｓｔ＿ＳＭ＿ｄｉｒｅｃｔに格納されている情報が検討中の移動局のランダム・アクセス・メモリ内に転送される。次に、テスト９０８中に初期基地局は、それが検討中の移動局からデータ転送肯定応答メッセージを受信したか否かを判定する。テスト９０８の結果が否定である場合、それを反復する。テスト９０８の結果が肯定である場合、初期基地局は動作９１２で動作モードを変更し、初期基地局側では基地局変更動作が首尾良く終了する。
【０１１３】
テスト９０６の結果が否定である場合、初期基地局は、基地局の役割の割振りがリストｌｉｓｔ＿ＳＭ＿ａｕｔｏ内のｌ番目の通信局によって拒否されたと見なす。次に、動作９１０中に変数ｌの値が１だけ増分される。次に、テスト９１１中に初期基地局は、変数ｌの値がｌｉｓｔ＿ＳＭ＿ａｕｔｏ内に表された移動局の数以上であるか否かを判定する。
【０１１４】
テスト９１１の結果が否定である場合、動作９０５を反復する。テスト９１１の結果が肯定である場合、基地局変更手順は失敗して終了し、ユーザは、動作９１３で初期基地局の活動停止によりすべての通信が中断されるという警告を受ける。
【０１１５】
図示していない変形態様によれば、テスト９１１中にリストｌｉｓｔ＿ＳＭ＿ａｕｔｏを完全に調べたと判定されると、リストｌｉｓｔ＿ＳＭ＿ｍａｎｕａｌを調べて、動作及びテスト９０５〜９１２を反復する。その場合、動作９１２は、メッセージ「ｎｅｗ−ｂａｓｅ−ａｃｃｅｐｔ」（テスト９０６）を送信した移動局が機能モードの変更を確認するメッセージを送信した後でのみ実行される。
【０１１６】
テスト９０２中に他の移動局を検出するか又はテスト９０８中に移動局による情報転送を肯定応答することにより手順が首尾良く終了すると、初期基地局を切断し、その場合に初期基地局がその活動を停止することによって図９に示す手順が引き起こされない限り、基地局はこのように動作モードを変更し、移動局になっている。
【０１１７】
図１０は、テスト１００１中にメッセージ「ｎｅｗ＿ｂａｓｅ＿ｒｅｑｕｅｓｔ」を基地局から受信し、それが検討中の移動局向けであると判定したときに、移動局側で基地局を変更する手順を示している。次に、テスト１００２中に移動局は、その動作能力ＣＯが値ＳＢ／ＳＭ＿ａｕｔｏ又はＳＢ／ＳＭ＿ｍａｎｕａｌのうちの１つを有するか否かを判定し、情報「ＢＡ」の値が「真」であるか否かを判定する。テスト１００２の結果が否定である場合、動作１００４中に、基地局の役割の割振りが拒否されたことをそれに対して示すために、検討中の移動局から基地局にメッセージ「ｎｅｗ＿ｂａｓｅ＿ｒｅｊｅｃｔ」が送信される。これで手順は終了し、移動局は基地局機能モードに切り替わらない。
【０１１８】
テスト１００２の結果が肯定である場合、テスト１００３中に移動局は、その使用可能なメモリ容量ＭＤが読取り専用メモリ３０５内に格納された値ＭＤ＿Ｎ１より厳密に小さいかどうかを判定する。この値ＭＤ＿Ｎ１は実際には基地局の役割を果たすための最小使用可能メモリ容量に対応する。
【０１１９】
テスト１００３の結果が肯定である場合、動作１００４を実行する。テスト１００３の結果が否定である場合、動作１００５中に移動局は、基地局の役割を受け入れるメッセージ「ｎｅｗ＿ｂａｓｅ＿ａｃｃｅｐｔ」を初期基地局に送信する。次に、テスト１００６中に移動局は、それが初期基地局から基地局の役割を果たすために必要な情報、即ち、リストｌｉｓｔ＿ＳＭ＿ａｕｔｏ、ｌｉｓｔ＿ＳＭ＿ｍａｎｕａｌ、ｌｉｓｔ＿ＳＭ＿ｄｉｒｅｃｔとテーブルｔａｂｌｅ＿ＳＭに格納されたすべての情報を受信したかどうかを判定する。
【０１２０】
テスト１００６の結果が否定である場合、それを反復する。テスト１００６の結果が肯定である場合、動作１００７中に移動局は、情報受信の肯定応答を基地局に送信する。次に、動作１００８中に移動局は、機能モードを変更し、基地局になる。これで手順は終了する。
【０１２１】
移動局が動作コード値ＳＢ／ＳＭ＿ｍａｎｕａｌを有する場合、以下の動作によってテスト１００３を補足する。
【０１２２】
−関係通信局の動作モードを手動で切り替えなければならないことをユーザに警告するための警告信号のトリガ、
−ユーザが手動切替えを実施する時間を持てるように十分な期間の待機、
−ユーザによる動作モードの変更のテスト（図示せず）。
【０１２３】
また、ユーザがテスト１００３後に続く所定の期間中に、動作モードの変更を実施しなかった場合、動作１００４を実行する。
【０１２４】
但し、図９及び図１０に示す機能モードによれば、初期基地局は、交代基地局を選択するために、静的基準を使用し、即ち、ネットワーク又は移動局の変更に応じて直ちに値を変更しないが、将来の基地局として予定されている移動局は、動的基準を使用して、即ち、基地局としてのその活動を妨げそうな移動局の状態の変更を直ちに考慮に入れて、新しい基地局の役割を受け入れるか又は拒否することができることに留意されたい。
【０１２５】
図１１及び図１２は、最初に移動局である通信局の主導で基地局の変更を実施する方法を示している。例えば、このような移動局がその電源投入後に初期基地局上にロックしている場合、ならびに（例えば、それがすべての変形態様とＤＥＣＴ規格の最も広範囲の態様をサポートするので）この移動局が基地局の候補である場合、テスト１１０１は肯定になる。そうではない場合、この手順は終了する。テスト１１０１の結果が肯定である場合、動作１１０２中に移動局は、「Ｑ」という名前でＤＥＣＴ規格で知られているチャネルを聴取する。このチャネルでは、実際には、初期基地局が移動局にとって有用と思われる情報、特にそれがサポートするＤＥＣＴプロファイルに関する情報を定期的に同報通信する。
【０１２６】
次に、テスト１１０３中に移動局は、それが基地局として初期基地局より優れた能力を有するか否かを判定する。テスト１１０３の結果が否定である場合、手順は終了する。テスト１１０３の結果が肯定である場合、動作１１０４中に移動局は、基地局の変更が必要であることを意味するメッセージ「ｃｈｇ＿ｂａｓｅ＿ｒｅｑｕｅｓｔ」を初期基地局に送信し、それが本発明の通信装置によるものである場合に基地局が応答メッセージを送信できるように十分な期間が経過するようにする。
【０１２７】
次に、テスト１１０５中に移動局は、返答として基地局の変更の受入れを意味するメッセージ「ｃｈｇ＿ｂａｓｅ＿ａｃｃｅｐｔ」を基地局から受信したか否かを判定する。テスト１１０５の結果が否定である場合、移動局は、初期基地局側での基地局の変更に対する拒否をそれが受信したと見なし、基地局変更手順が終了する。
【０１２８】
テスト１１０５の結果が肯定である場合、動作１１０６、１１０７、１１０８は動作１００６、１００７、１００８とそれぞれ同じである。これで基地局変更手順は終了する。
【０１２９】
初期基地局側で、テスト１２０１中にロックされている移動局からメッセージ「ｃｈｇ＿ｂａｓｅ＿ｒｅｑｕｅｓｔ」を受信したと判定した場合、テスト１２０２を実行し、その間に、どちらも同時にその通信能力を表す情報「ＢＡ」が「真」になり、その動作モードＭＯが基地局の動作モードに対応するか否かを判定する。
【０１３０】
テスト１２０２の結果が否定である場合、動作１２０３中に初期基地局は検討中の移動局にメッセージ「ｃｈｇ＿ｂａｓｅ＿ｒｅｊｅｃｔ」を送信する。これで手順は終了する。テスト１２０２の結果が肯定である場合、動作１２０４中に初期基地局は検討中の移動局にメッセージ「ｃｈｇ＿ｂａｓｅ＿ａｃｃｅｐｔ」を送信する。次に、テスト１２０５中に初期基地局は、活動状態の接続が存在するか否かを判定する。
【０１３１】
テスト１２０５の結果が肯定である場合、それを反復する。テスト１２０５の結果が否定である場合、動作１２０６中に基地局は、テーブルｔａｂｌｅ＿ＳＭ及びリストｌｉｓｔ＿ＳＭ＿ａｕｔｏ、ｌｉｓｔ＿ＳＭ＿ｍａｎｕａｌ、ｌｉｓｔ＿ＳＭ＿ｄｉｒｅｃｔに格納されている情報を検討中の移動局に送信する。
【０１３２】
次に、テスト１２０７中に初期基地局は、データ転送を肯定応答するメッセージを検討中の移動局から受信したか否かを判定する。テスト１２０７の結果が否定である場合、それを反復する。テスト１２０７の結果が肯定である場合、動作１２０８中に初期基地局は動作モードを変更し、移動局モードで機能し始め、基地局を変更する動作は首尾良く終了する。
【０１３３】
図１３は以下のメッセージを示している。
【０１３４】
−図９及び図１０に示す手順の状況で、左側の初期基地局と基地局になる右側の移動局との間で交換されるメッセージをメッセージ１３０１〜１３０４の形で示す。
【０１３５】
−図１１及び図１２に示す手順の状況で、左側の移動局と基地局との間で交換されるメッセージをメッセージ１３０５〜１３０６の形で示す。
【０１３６】
ネットワーク内に存在する移動局が基地局モードで動作する能力に関する情報を収集するため、本発明の第１〜第６の態様による基地局は、図１４Ａに示す同報通信タイプのメッセージを使用する。従って、基地局は以下の情報を入手するためにすべての移動局に質問する。
【０１３７】
−自動的に基地局モードに切り替わることができる移動局のリスト
−これと同じリストであって、基地局によって選択された１つ又は複数のパラメータに応じてソートされたもの
−所与の瞬間に基地局モードで動作する最良の全体的能力を移動局のアイデンティティ
−基地局によって固定された１つ又は複数の基準に応じて、基地局モードで動作する最良の能力を有する移動局のアイデンティティ
第１のタイプのメッセージ１４０１（図１４Ａ）は、すべての移動局に対して同報通信される基地局からの要求であり、以下のフィールドを含む。
【０１３８】
−「基地局によって同報通信される要求」をほぼ意味するメッセージ・コード・フィールド１４０２「ｂｒｏａｄｃａｓｔ＿ＳＢ＿ｒｅｑ」
−関係する要求のタイプを定義するタイプ・フィールド１４０３  ＣＴ
−要求内のパラメータの数を定義する長さフィールド１４０４  ＣＬ
−それに関する応答を待つ基準を含むパラメータ・フィールド１４０５  ＣＰ
（０）〜１４０６  ＣＰ（ＣＬ−１）
タイプ・フィールド１４０３  ＣＴ及び長さフィールド１４０４  ＣＬは、異なる値を取ることができ、要求に対してどのように応答するかならびにどの基準に応じて応答するかを様々な移動局に対して指定することが可能になり、後者はフィールド１４０５〜１４０６によって指定される。
【０１３９】
フィールド１４０３  ＣＴで伝送される情報が「０」に等しい場合、各移動局は基地局として動作するその能力を遅延なしに送信しなければならず、フィールド１４０４  ＣＬに含まれる値が非ゼロである場合、各移動局は要求に指定されたパラメータの値を返さなければならない。
【０１４０】
フィールド１４０３  ＣＴで伝送される情報が「１」に等しい場合、各移動局は、その値が基地局になる移動局の能力の値を表すような期間後に、基地局として動作するその能力を送信しなければならず、フィールド１４０４  ＣＬに含まれる値が非ゼロである場合、各移動局は要求に指定されたパラメータの値を返さなければならない。
【０１４１】
基地局になる移動局の能力の測定値は、以下に記載する応答時間に応じて決定される。
【０１４２】
本発明の第１及び第２の態様によれば、フィールド１４０５〜１４０６によって表されるパラメータは以下のものを含む。
【０１４３】
−動作能力ＣＯ
−使用可能なメモリ容量
−サポートされるＤＥＣＴプロファイル
−サポートされるＤＥＣＴスロット・タイプ（単スロット、倍スロット、又は半スロット）
−中央ユニットの計算能力
本発明の第３〜第６の態様によれば、フィールド１４０５〜１４０６によって表されるパラメータは以下のものを含む。
【０１４４】
−動作能力ＣＯ
−使用可能なメモリ容量ＣＭ
−そのエネルギー係数ＣＥ
−その固定係数ＣＦ
−そのネットワーク・インタフェース情報ＩＲ
−サポートされるＤＥＣＴプロファイル
−サポートされるＤＥＣＴスロット・タイプ（単スロット、倍スロット、又は半スロット）
−中央ユニットの計算能力
メッセージ１４１１「ｂｒｏａｄｃａｓｔ＿ＳＢ＿ａｎｓ」（図１４Ｂ）は、「基地局によって同報通信されるメッセージへの応答」をだいたい意味し、基地局に対する様々な移動局の応答に関するものである。このメッセージ１４１１は、定方位接続（oriented connection）モードを使用して送信される。これは以下のフィールドを含む。
【０１４５】
−メッセージ・コード・フィールド１４１２
−移動局がそこにそのアイデンティティを指定するアイデンティティ・フィールド１４１３
−移動局の応答を明記する応答フィールド１４１４  ＣＲ
−応答内のデータの数を表す長さフィールド１４１５  ＣＬ
−基地局が必要とするデータを含むデータ・フィールド１４１６〜１４１７
応答フィールド１４１４  ＣＲは、以下の値を取ることができる。
【０１４６】
−「アクセプト」（「受入れ」）は、通信局が基地局として動作する能力を有することを意味し、長さフィールド１４１５が非ゼロ長を示す場合に、データ・フィールドは基地局が必要とするパラメータに関する情報を示す。
【０１４７】
−「リジェクト」（「拒否」）は、瞬間的に移動局が基地局として動作できないか又は基地局が必要とするパラメータに関する情報を持っていないことを意味する。長さフィールド１４１５が非ゼロ長を示す場合に、データ・フィールドは拒否の説明を示す。
【０１４８】
移動局の側ではメッセージ１４０１への応答がない場合、所定の期間が経過したときに、その応答フィールドＣＲが「リジェクト」になりそうな応答であると見なされる。
【０１４９】
デフォルトでは、メッセージ１４０１内の動作能力が不要である場合、ある機能モードから他の機能モードへ自動的に切り替わる能力を有する移動局のみがメッセージ１４１１により応答することができる。
【０１５０】
図１５は、基地局と、基地局になる能力を有する各移動局との間のメッセージの交換を表している。メッセージ１４０１は、定期的タイム・スロットで、例えば、毎分、基地局によって同報通信される。
【０１５１】
図１５では、メッセージ１４０１Ａは遅延なしタイプ（ＣＴ＝０）のメッセージ１４０１であり、長さフィールドＣＬも「０」になる。本発明の第１〜第６の態様による移動局のそれぞれは、折返し（即ち、待機なしで）、メッセージ１４１１Ａ、１４１１Ｂ、１４１１Ｃの形で応答する。記載した例では、移動局２０４、２０５、２０１が応答し、最初の２つは「アクセプト」タイプの応答フィールドＣＲを有し、最後の移動局は「リジェクト」タイプの応答フィールドＣＲを有する。
【０１５２】
応答フィールドを判定するため、本発明による各移動局は、その動作コードがコード「ＳＢ／ＳＭ＿ａｕｔｏ」又は「ＳＢ／ＳＭ＿ｍａｎｕａｌ」のうちの１つであるか否かを判定し、肯定の場合に、その使用可能メモリ容量が所定の値ＭＤ＿Ｎ１より大きいか否かを判定する。
【０１５３】
図１６では、同報通信メッセージ１４０１Ｂは、遅延あり（ＣＴ＝１）でパラメータあり（ＣＬ＝１）のタイプのメッセージ１４０１であり、採用されるパラメータは動作能力のみである。基地局として機能する能力を有する移動局は、その動作能力の値の関数である期間の間待機しながら応答する。即ち、最初に応答する移動局は「ＳＢ／ＳＭ＿ａｕｔｏ」に等しい動作能力を有し（メッセージ１４１１Ｄ及び１４１１Ｅ）、最後に応答する移動局は「ＳＢ／ＳＭ＿ｍａｎｕａｌ」に等しい動作能力を有する（メッセージ１４１１Ｆ）。
【０１５４】
一般的に言えば、本発明の第１及び第２の態様の実施例では、応答前に待機する期間は、メッセージ１４０１Ｂを受信する瞬間から求められる。この期間は以下の値を取る。
【０１５５】
Ｔanswer＝ＣＣＯ．ｔCCO＋ＣＰＲ．ｔCPR＋ＣＭＤ．ｔCMD
式中、
−ＣＣＯは動作能力係数（動作能力が「ＳＢ／ＳＭ＿ａｕｔｏ」である場合に「０」になり、動作能力が「ＳＢ／ＳＭ＿ｍａｎｕａｌ」である場合に「５」になり、動作能力が「ＳＭ／ＳＭ＿ｄｉｒｅｃｔ」である場合に「５」になり、動作能力が「ＳＭ」である場合に無限大になる）であり、
−ＣＰＲはサポートされるプロファイル係数（サポートされるプロファイルがＢ、ＭＭＡＰ、ＧＡＰである場合に「０」になり、サポートされるプロファイルがＡ及びＧＡＰである場合に「１」になり、サポートされるプロファイルがＧＡＰのみである場合に「２」になる）であり、
−ＣＭＤは使用可能メモリ係数であり、
−ｔCCOは動作能力係数に割り振られる期間であり、
−ｔCPRはサポートされるプロファイル係数に割り振られる期間であり、
−ｔCMDは使用可能メモリ係数に割り振られる期間である。
【０１５６】
例えば、上記の３通りの期間は１０ミリ秒（それに関する応答期間が必ずＤＥＣＴフレームの期間の倍数になるＤＥＣＴフレームの期間）に等しくなる。
【０１５７】
一般的に言えば、本発明の第３〜第６の態様の実施形態では応答前に待機する期間は、メッセージ１４０１Ｂを受信する瞬間から求められる。この期間は以下の値を取る。
【０１５８】
Ｔanswer＝ＣＣＯ．ｔCCO＋ＣＰＲ．ｔCPR＋ＣＭＤ．ｔCMD＋ＣＥ．ｔCE＋ＣＦ．ｔCF＋ＣＩＲ．ｔCIR
式中、
−ＣＣＯは動作能力係数（動作能力が「ＳＢ／ＳＭ＿ａｕｔｏ」である場合に「０」になり、動作能力が「ＳＢ／ＳＭ＿ｍａｎｕａｌ」である場合に「５」になり、動作能力が「ＳＭ／ＳＭ＿ｄｉｒｅｃｔ」である場合に「５」になり、動作能力が「ＳＭ」である場合に無限大になる）であり、
−ＣＰＲはサポートされるプロファイル係数（サポートされるプロファイルがＢ、ＭＭＡＰ、ＧＡＰである場合に「０」になり、サポートされるプロファイルがＡ及びＧＡＰである場合に「１」になり、サポートされるプロファイルがＧＡＰのみである場合に「２」になる）であり、
−ＣＭＤは使用可能メモリ係数であり、
−ｔCCOは動作能力係数に割り振られる期間であり、
−ｔCPRはサポートされるプロファイル係数に割り振られる期間であり、
−ｔCMDは使用可能メモリ係数に割り振られる期間であり、
−ｔCEはエネルギー係数に割り振られる期間であり、
−ｔCFは固定係数に割り振られる期間であり、
−ｔCIRはネットワーク・インタフェース係数に割り振られる期間である。
【０１５９】
例えば、上記の６通りの期間は１０ミリ秒（それに関する応答期間が必ずＤＥＣＴフレームの期間の倍数になるＤＥＣＴフレームの期間）に等しくなる。
【０１６０】
図１６では、応答時間を計算するための式は以下の式に制限される。
【０１６１】
Ｔanswer＝ＣＣＯ．ｔCCO
というのは、メッセージ１６０１に表されるパラメータは動作能力パラメータのみであるからである。
【０１６２】
図１７は、メッセージが所定のタイミングに応じて伝送されることを示す図である。各通信サイクル１７０１、１７０２、１７０３は１０ミリ秒持続し、１２個の等しいタイム・スロットに分割される。１回の通信について、各サイクル毎に１つ又は複数のタイム・スロットが一定の方式で割り振られる。
【０１６３】
図１８Ａは、セル内部で接続を確立するための現況技術を示している。図１８Ａは、移動局１８０２と移動局１８０３との間の内部接続のルートを示している。この通信は基地局１８０１を通過する。時間ｔのときに移動局１８０２と基地局１８０１との間のリンク上を通過する情報は、次に基地局１８０１と移動局１８０３との間のリンク上を通過する。従って、同じ情報の２回の伝送のために情報の重複とセルの通信媒体の２重占有が発生する。
【０１６４】
伝送される情報が音声情報である場合、通信媒体のこのような２重占有は重大なものではない。データ通信の場合、リンク、情報、通信媒体の占有が重複することにより、セルが飽和状態になり、セル外部への接続の要求が妨げられる可能性がある。
【０１６５】
図１８Ｂ及び図１８Ｃに、本発明の第１〜第６の態様の目的である装置の機能が示されているいるが、このような重複を回避するための機能である。
【０１６６】
この機能では、
−通信すべき移動局１８０５及び１８０６のうちの少なくとも１つが基地局モードで機能できる場合又は移動局１８０５及び１８０６の両方が直接通信できる場合、他の通信局を通過せずに２つの移動局間の通信が直接行われるようにセルが構成される。
【０１６７】
−これとは逆の場合、移動局１８０５と１８０６との間の通信に関するトラフィックから初期基地局１８０４を解放するために、基地局として機能できる移動局１８１０は、通信すべき２つの移動局１８０５及び１８０６に対してこの役割を果たし、それらと共に新しいセルを構成する。
【０１６８】
図１９は、新しいセルの作成を実現する方法又は移動局を直接通信状態にする方法を流れ図の形で示している。
【０１６９】
動作１９０１中に基地局１８０４は、移動局１８０６から移動局１８０５向けのセル内部の発呼要求を受信すると、テスト１９０２を実行し、その間に以下のいずれかを判定する。
【０１７０】
−要求された接続が所定の値を上回る複数のスロット（例えば、４つのスロットであり、それを上回るとその通信が必ず音声通信以外になるような値）を必要とするかどうか、又は、
−必要なスロットの数が使用可能なスロットの数を上回るかどうか。
【０１７１】
テスト１９０２の結果が否定である場合、動作１９０３中に、移動局１８０５と１８０６との間の接続が本発明以前の現況技術で既知のやり方で基地局により確立される。
【０１７２】
テスト１９０２の結果が肯定である場合、テスト１９０４中に基地局１８０４は、移動局１８０５又は１８０６のうちの少なくとも１つが現行接続を有するか否かを判定する。
【０１７３】
テスト１９０４の結果が肯定である場合、動作１９０３を実行する。テスト１９０４の結果が否定である場合、テスト１９０５中に基地局１８０４は、移動局１８０５及び１８０６がどちらもｌｉｓｔ＿ＳＭ＿ｄｉｒｅｃｔ内に含まれるか否かを判定する。テスト１９０５の結果が肯定である場合、動作１９０６中に基地局１８０４は、直接通信モードに切り替わるように指示し、その対話相手（interlocutor）を構成する移動局のアイデンティティを示すために、移動局１８０５及び１８０６のそれぞれにメッセージ「ｓｗｉｔｃｈ−ｍｏｄｅ−ｒｅｑｕｅｓｔ」を送信する（図２１Ｂを参照のこと）。
【０１７４】
移動局１８０５と１８０６との間の直接通信の実現に失敗した場合（例えば、移動局の１つが直接通信モードへの切替えを拒否した場合）、テスト１９０７を実行する（以下を参照のこと）。
【０１７５】
移動局１８０５及び１８０６を直接通信状態にすることに成功した場合、それぞれの直接通信の終わりに２つの移動局はもう一度基地局１８０４との同期を取る。
【０１７６】
テスト１９０５の結果が否定である場合、テスト１９０７中に基地局１８０４は、移動局１８０５がｌｉｓｔ＿ＳＭ＿ａｕｔｏ内に含まれるか否かを判定する。テスト１９０７の結果が肯定である場合、動作１９０８中に基地局１８０４は、それが基地局モードに切り替わるべきであることを示すために、移動局１８０５にメッセージ「ｓｗｉｔｃｈ−ｍｏｄｅ−ｒｅｑｕｅｓｔ」２１０１を送信し（図２１Ａ）、移動局１８０５がアクセス権をそれに割り振るように移動局１８０６のアイデンティティを移動局１８０５に送信する。
【０１７７】
さらに、移動局１８０５からメッセージ「ｓｗｉｔｃｈ−ｍｏｄｅ−ａｃｃｅｐｔ」２１０２を受信すると、基地局１８０４は、移動局１８０６が新しい基地局１８０５との同期を取るべきであることを移動局１８０６に示すために、基地局１８０５のアイデンティティを含むメッセージ「ｓｗｉｔｃｈ−ｂａｓｅ−ｒｅｑｕｅｓｔ」２１０３を移動局１８０６に送信する（図２１Ａを参照のこと）。
【０１７８】
移動局１８０５の基地局モードへの切り替えに失敗した場合（例えば、移動局１８０５が切り替えを拒否した場合）、テスト１９０９を実行する（以下を参照のこと）。
【０１７９】
テスト１９０７の結果が否定である場合、テスト１９０９中に基地局１８０４は、移動局１８０６がｌｉｓｔ＿ＳＭ＿ａｕｔｏ内に含まれるか否かを判定する。テスト１９０９の結果が肯定である場合、動作１９１０中に基地局１８０４は、移動局１８０６が基地局モードに切り替わるべきであることを示すために、移動局１８０６にメッセージ「ｓｗｉｔｃｈ−ｍｏｄｅ−ｒｅｑｕｅｓｔ」２１０１を送信し、移動局１８０６がアクセス権をそれに割り振るように移動局１８０５のアイデンティティを移動局１８０６に送信する。
【０１８０】
さらに、移動局１８０６からメッセージ「ｓｗｉｔｃｈ−ｍｏｄｅ−ａｃｃｅｐｔ」２１０２を受信すると、基地局１８０４は、移動局１８０５が新しい基地局１８０６との同期を取るべきであることを移動局１８０５に示すために、基地局１８０６のアイデンティティを含むメッセージ「ｓｗｉｔｃｈ−ｂａｓｅ−ｒｅｑｕｅｓｔ」２１０３を移動局１８０５に送信する。
【０１８１】
図２１Ａに関しては、移動局の１つが基地局モードに切り替わる場合、通信局１８０５と１８０６との間のデータ通信２１０４が終了すると、それがデータを通信していた移動局にメッセージ「ｓｗｉｔｃｈ−ｂａｓｅ−ｒｅｑｕｅｓｔ」２１０５を送信した後で、ただちに移動局モードに戻ることが分かるだろう。次に、このメッセージ２１０５を受信する移動局は、もう一度基地局１８０４との同期を取る。
【０１８２】
移動局１８０６の基地局モードへの切り替えに失敗した場合（例えば、移動局１８０６が切り替えを拒否した場合）、動作１９１１を実行する（以下を参照のこと）。
【０１８３】
テスト１９０９の結果が否定である場合、動作１９１１（図２０）中に基地局は、引き続き使用可能であるスロットの数が要求された通信に必要なスロットの数を厳密に下回るか否かを判定する。
【０１８４】
テスト１９１１の結果が否定である場合、動作１９０３を実行する。テスト１９１１の結果が肯定である場合、動作１９１２中に一時的変数ｋが値「０」に初期設定される。次に、テスト１９１３中に基地局は、変数ｋの値がリストｌｉｓｔ＿ＳＭ＿ａｕｔｏのサイズを厳密に下回るか否かを判定する。テスト１９１３の結果が否定である場合、動作１９０３を実行する。但し、動作１９０３の実行によって通信のセットアップが保証されるわけではなく、当技術分野の既知の状態により拒否手順が提供されることに留意されたい。テスト１９１３の結果が肯定である場合、テスト１９１４中に基地局は、リストｌｉｓｔ＿ＳＭ＿ａｕｔｏ内のｋ番目の通信局が現行接続を有するか否かを判定する。
【０１８５】
テスト１９１４の結果が肯定である場合、動作１９１５中に変数ｋの値が１だけ増分される。次にテスト１９１３を反復する。テスト１９１４の結果が否定である場合、動作１９１６中に基地局１８０４は、リストｌｉｓｔ＿ＳＭ＿ａｕｔｏ内のｋ番目の位置で識別された移動局、この場合は移動局１８１０にメッセージ「ｓｗｉｔｃｈ−ｍｏｄｅ−ｒｅｑｕｅｓｔ」を送信し、検討中の移動局１８１０が新しい基地局の役割を果たすことに合意した場合、初期基地局１８０４は、移動局１８０５及び１８０６のそれぞれが新しい基地局１８１０との同期を取るように、新しい基地局１８１０のアイデンティティを示すメッセージ「ｓｗｉｔｃｈ−ｂａｓｅ−ｒｅｑｕｅｓｔ」を移動局１８０５及び１８０６のそれぞれに送信する（図２２を参照のこと）。
【０１８６】
移動局１８０５と１８０６との間の通信の終わりに、新しい基地局１８１０はもう一度移動局機能モードに切り替わる。
【０１８７】
メッセージ「ｓｗｉｔｃｈ−ｍｏｄｅ−ｒｅｑｕｅｓｔ」の受信時に、メッセージ「ｓｗｉｔｃｈ−ｍｏｄｅ−ｒｅｊｅｃｔ」を送信するか又はメッセージ「ｓｗｉｔｃｈ−ｍｏｄｅ−ｒｅｑｕｅｓｔ」に応答しないことにより、移動局１８１０が通信モードを変更することを拒否した場合、基地局１８０４によって動作１９１５が実行される。
【０１８８】
図示していない変形態様によれば、テスト１９１３の結果が否定である場合、図１９及び図２０に示す流れ図の一部がテスト１９０７からもう一度実施されるが、この場合、リスト「ｌｉｓｔ＿ＳＭ＿ａｕｔｏ」の代わりに「ｌｉｓｔ＿ＳＭ＿ｍａｎｕａｌ」を考慮する。
【０１８９】
図２１Ａには、移動局１８０５が基地局モードに切り替わる場合及び移動局１８０６が基地局１８０５に接続する場合、初期基地局１８０４がまず第１に移動局１８０５にメッセージ「ｓｗｉｔｃｈ−ｍｏｄｅ−ｒｅｑｕｅｓｔ」２１０１を送信し、返答としてメッセージ「ｓｗｉｔｃｈ−ｍｏｄｅ−ａｃｃｅｐｔ」２１０２を待つ。次に初期基地局１８０４は、移動局１８０６にメッセージ「ｓｗｉｔｃｈ−ｂａｓｅ−ｒｅｑｕｅｓｔ」２１０３を送信し、返答としてメッセージ「ｓｗｉｔｃｈ−ｂａｓｅ−ａｃｃｅｐｔ」２１０６を待つことが示されている。
【０１９０】
通信局１８０５と１８０６との間の通信が終了すると、メッセージ「ｓｗｉｔｃｈ−ｂａｓｅ−ｒｅｑｕｅｓｔ」２１０５の後に、返答としてメッセージ「ｓｗｉｔｃｈ−ｂａｓｅ−ａｃｃｅｐｔ」２１０７が続く。
【０１９１】
図２１Ｂには、移動局１８０５と１８０６との間の直接通信を確立するために、動作１９０６中に基地局１８０４がまず第１に、要求された通信モード（直接通信モード）を示し、もう一方の移動局のアイデンティティを示すメッセージ２１１１「ｓｗｉｔｃｈ−ｍｏｄｅ−ｒｅｑｕｅｓｔ」を、セットアップすべき通信に関わる移動局の１つ（例えば、通信局１８０５）に送信することが示されている。メッセージ「ｓｗｉｔｃｈ−ｍｏｄｅ−ｒｅｑｕｅｓｔ」２１１１が向けられた移動局（この例では通信局１８０５）からメッセージ「ｓｗｉｔｃｈ−ｍｏｄｅ−ａｃｃｅｐｔ」２１１２を受信すると、基地局１８０４は、要求された通信モード（直接通信モード）を示し、もう一方の移動局のアイデンティティを示すメッセージ「ｓｗｉｔｃｈ−ｍｏｄｅ−ｒｅｑｕｅｓｔ」２１１３を、通信に関わるもう一方の通信局（この例では通信局１８０６）に送信する。メッセージ「ｓｗｉｔｃｈ−ｍｏｄｅ−ｒｅｑｕｅｓｔ」が向けられた移動局（この例では通信局１８０６）からメッセージ「ｓｗｉｔｃｈ−ｍｏｄｅ−ａｃｃｅｐｔ」２１１４を受信すると、２つの移動局は直接通信モードに切り替わる。通信の終わりに、通信局１８０５は通信局１８０６にメッセージ「ｓｗｉｔｃｈ−ｍｏｄｅ−ｒｅｑｕｅｓｔ」２１１６を送信し、返答としてメッセージ「ｓｗｉｔｃｈ−ｍｏｄｅ−ａｃｃｅｐｔ」２１１７を受信し、次に２つの通信局１８０５及び１８０６は移動局モードに切り替わる。
【０１９２】
図２２には、新しい基地局１８１０により移動局１８０５と１８０６との間の通信を確立するために、動作１９１６中に基地局１８０４がまず第１に、要求された通信モードである基地局モードと、アクセス権を公開すべき２つの移動局１８０５及び１８０６を示すメッセージ「ｓｗｉｔｃｈ−ｍｏｄｅ−ｒｅｑｕｅｓｔ」２２０１を移動局１８１０に送信することが示されている。移動局１８１０からメッセージ「ｓｗｉｔｃｈ−ｍｏｄｅ−ａｃｃｅｐｔ」２２０２を受信すると、基地局１８０４は、移動局１８０６にメッセージ「ｓｗｉｔｃｈ−ｂａｓｅ−ｒｅｑｕｅｓｔ」２２０３を送信する。
【０１９３】
返答としてメッセージ「ｓｗｉｔｃｈ−ｂａｓｅ−ａｃｃｅｐｔ」２２０８を受信すると、基地局１８０４は移動局１８０５にメッセージ「ｓｗｉｔｃｈ−ｂａｓｅ−ｒｅｑｕｅｓｔ」２２０４を送信する。メッセージ２２０３及び２２０４のそれぞれは、移動局のそれぞれに対して、それらに関係する新しい基地局が通信局１８１０であることを示す。
【０１９４】
移動局１８０５がメッセージ「ｓｗｉｔｃｈ−ｂａｓｅ−ａｃｃｅｐｔ」２２０９を基地局１８０４に送信した後、移動局１８０５及び１８０６は新しい基地局１８１０に接続する。
【０１９５】
通信２２０５及び２２０６により、移動局１８０６及び１８０５は、新しい基地局１８１０を介して互いにデータを通信する。データの通信の終わりに、新しい基地局１８１０は、移動局１８０６にメッセージ「ｓｗｉｔｃｈ−ｂａｓｅ−ｒｅｑｕｅｓｔ」２２０７を送信し、移動局１８０５にメッセージ「ｓｗｉｔｃｈ−ｂａｓｅ−ｒｅｑｕｅｓｔ」２２０８を送信して、新しい基地局が通信局１８０４であることをそれぞれの移動局に示す。
【０１９６】
返答として移動局１８０５及び１８０６からメッセージ「ｓｗｉｔｃｈ−ｂａｓｅ−ａｃｃｅｐｔ」２２１０及び２２１１を受信すると、基地局１８１０は移動局モードに切り替わる。
【０１９７】
図２３は、基地局になるこの能力を定義する基準の関数として、自動的に基地局モードに切り替わる能力を有する移動局を分類するための流れ図を示す図である。
【０１９８】
当然、手動で基地局モードに切り替わる能力を有する移動局のリストを分類するために、同様の手順に従うことができる。
【０１９９】
図２３に示す手順は、新しい移動局（以下、ＳＭｋと示す）がセルに加わり、図６Ａ及び図６Ｂに示すメッセージを送信した時に、基地局によって実行される。
【０２００】
このイベントが発生すると、動作３２０１中に基地局の制御装置３０６は一時的変数ｌを値「０」に初期設定する。次に、テスト３２０２中に制御装置３０６は、一時的変数ｌの値がリストｌｉｓｔ＿ＳＭ＿ａｕｔｏのサイズ以上であるか否かを判定する。テスト３２０２の結果が肯定である場合、動作３２０７中に移動局ＳＭｋのアイデンティティがリストｌｉｓｔ＿ＳＭ＿ａｕｔｏ内の位置ｌに挿入され、分類手順が終了する。
【０２０１】
テスト３２０２の結果が否定である場合、テスト３２０３中に制御装置３０６は、通信局ＳＭｋの最大伝送速度がリストｌｉｓｔ＿ＳＭ＿ａｕｔｏのｌ番目の通信局の最大速度を厳密に上回るか否かを判定する。
【０２０２】
テスト３２０３の結果が肯定である場合、動作３２０７を実行する。テスト３２０３の結果が否定である場合、テスト３２０４中に制御装置３０６は、通信局ＳＭｋの最大伝送速度がリストｌｉｓｔ＿ＳＭ＿ａｕｔｏ内のｌ番目の通信局の最大速度を厳密に下回るか否かを判定する。
【０２０３】
テスト３２０４の結果が肯定である場合、動作３２０８中に一時的変数ｌの値が１だけ増分され、テスト３２０２を反復する。テスト３２０４の結果が否定である場合、テスト３２０５中に制御装置３０６は、通信局ＳＭｋのメモリ容量がリストｌｉｓｔ＿ＳＭ＿ａｕｔｏ内のｌ番目の通信局のメモリ容量を厳密に上回るか否かを判定する。
【０２０４】
テスト３２０５の結果が肯定である場合、動作３２０７を実行する。テスト３２０５の結果が否定である場合、テスト３２０６中に制御装置３０６は、通信局ＳＭｋのメモリ容量がリストｌｉｓｔ＿ＳＭ＿ａｕｔｏ内のｌ番目の通信局のメモリ容量を厳密に下回るか否かを判定する。
【０２０５】
テスト３２０６の結果が肯定である場合、動作３２０８を実行する。テスト３２０６の結果が否定である場合、基地局になる能力に関する新しいパラメータについて検討し、最大伝送速度（テスト３２０３及び３２０４）又はメモリ容量（テスト３２０５及び３２０６）の代わりにこの新しいパラメータを考慮して、テスト３２０３及び３２０４或いは３２０５及び３２０６と同様のテストを実行する。当然、テストするパラメータは重要度の降順にテストされる。最後のパラメータについて検討し、それに関連する２つのテストについてもう一度否定の結果になった場合、動作３２０７を実行する。
【０２０６】
次に、ある通信局が現行通信局より基地局になるための優れた能力を有すると判定したときに、その固定係数ＣＦ、そのエネルギー係数ＣＥ、そのネットワーク・インタフェース係数ＣＩＲを表す情報を含むメッセージ「ｃｈｇ−ｂａｓｅ−ｒｅｑｕｅｓｔ」を送信する方法について説明する。
【０２０７】
このメッセージを受信すると、初期基地局はこれらの係数をその重要度の降順に（通信係数は固定係数より重要度が高く、それ自体はエネルギー係数より重要度が高い）連続して比較し、連続して処理する各係数毎に以下のようになる。
【０２０８】
−初期基地局は移動局より優れた係数を有する場合、メッセージ「ｃｈｇ−ｂａｓｅ−ｒｅｊｅｃｔ」により基地局の変更を拒否する。
【０２０９】
−初期基地局は移動局より劣る係数を有する場合、メッセージ「ｃｈｇ−ｂａｓｅ−ａｃｃｅｐｔ」により基地局の変更を受け入れる。
【０２１０】
−後者の場合（検討中の係数について同等）、それは次の係数に移行する。
【０２１１】
すべての係数を処理すると、基地局は、メッセージ「ｃｈｇ−ｂａｓｅ−ａｃｃｅｐｔ」の形で基地局の変更の受入れを返す。
【０２１２】
この手順を実施するために、移動局は図１１に示す流れ図に従うが、係数ＣＦ、ＣＥ、ＣＩＲを表す情報をメッセージ「ｃｈｇ−ｂａｓｅ−ｒｅｑｕｅｓｔ」で伝送するために動作１１０４のみが変更される。
【０２１３】
次に、基地局は図２５に示す動作を実行する。まず第１に、動作２５０１中に基地局はメッセージ「ｃｈｇ−ｂａｓｅ−ｒｅｑｕｅｓｔ」を受信する。次に、テスト２５０２中に基地局は、その機能モードが基地局モード（ＭＯ＝ＳＢ）であると同時に機能モードを変更する能力を有する（ＢＡ＝真）か否かを判定する。テスト２５０２の結果が否定である場合、基地局の制御装置３０６は動作２５０５を実行し、その間に、メッセージ「ｃｈｇ−ｂａｓｅ−ｒｅｑｕｅｓｔ」を送信した移動局にメッセージ「ｃｈｇ−ｂａｓｅ−ｒｅｊｅｃｔ」を送信する。これで手順は（失敗して）終了する。
【０２１４】
テスト２５０２の結果が肯定である場合、テスト２５０３中に制御装置３０６は、受信した係数ＣＩＲがゼロであるか否かを判定する。テスト２５０３の結果が肯定である場合、テスト２５１２中に制御装置３０６は、読取り専用メモリ３０５に格納された係数ＣＩＲがゼロであるか否かを判定する。テスト２５１２の結果が否定である場合、動作２５０５を実行する。テスト２５１２の結果が肯定である場合、テスト２５０４中に制御装置３０６は、受信した係数ＣＦが読取り専用メモリ３０５に格納された係数ＣＦ以下であると同時に受信した係数ＣＥが読取り専用メモリ３０５に格納された係数ＣＥ以下であるか否かを判定する。
【０２１５】
テスト２５０４の結果が肯定である場合、動作２５０５を実行する。テスト２５０４の結果が否定である場合、以下に記載する動作２５０７を実行する。
【０２１６】
テスト２５０３の結果が否定である場合、テスト２５０６中に制御装置３０６は、受信した係数ＣＩＲが読取り専用メモリに格納された係数ＣＩＲとは異なると同時に読取り専用メモリに格納された係数ＣＩＲが「２」とは異なるか否かを判定する。
【０２１７】
テスト２５０６の結果が否定である場合、テスト２５０４を実行する。テスト２５０６の結果が肯定である場合、動作２５０７中に初期基地局は、メッセージ「ｃｈｇ−ｂａｓｅ−ｒｅｑｕｅｓｔ」を送信した移動局にメッセージ「ｃｈｇ−ｂａｓｅ−ａｃｃｅｐｔ」を送信する。次に、テスト２５０８中に制御装置３０６は、読取り専用メモリに格納された係数ＣＩＲがゼロであるか否かを判定する。
【０２１８】
テスト２５０８の結果が否定である場合、手順は完了し、初期基地局は引き続き基地局モードになる。テスト２５０８の結果が肯定である場合、テスト２５０９中に制御装置３０６は、接続が活動状態であるか否かを判定する。テスト２５０９の結果が肯定である場合、それを反復する。テスト２５０９の結果が否定である場合、動作２５１０中に初期基地局は移動局モードに切り替わる。
【０２１９】
通信局を外部ネットワークへのアクセスと組み合わせる場合、図３Ｂに示す装置は、
−外部ネットワークの外部回線３１５にアクセスする外部通信手段３１４と、−回線制御装置３１３も有する。
【０２２０】
回線制御装置３１３は、外部通信手段３１４による外部回線３１５の占有を検出するように適合されている。
【０２２１】
この場合、装置は図２６に示す流れ図を実施することによって機能する。このような装置は最初は動作２６０１で基地局モードで機能することが分かるだろう。次に、テスト２６０２を実行し、その間に回線制御装置３１３を使用して外部回線が占有されているか否かを判定する。
【０２２２】
テスト２６０２の結果が否定である場合、それを反復する。テスト２６０２の結果が肯定である場合、テスト２６０３中に、外部回線へのアクセスが移動局によって実施されるか否かを判定する。テスト２６０３の結果が肯定である場合、テスト２６０２を反復する。テスト２６０３の結果が否定である場合、動作２６０４中に制御装置３０６により、動作モードが移動局モードに切り替わる。次に、テスト２６０５中に制御装置３０６は、回線制御装置３１３を使用して外部回線が使用中であるか否かを判定する。テスト２６０５の結果が否定である場合、それを反復する。テスト２６０５の結果が肯定である場合、動作２６０６中に機能モードが基地局モードに切り替えられる。
【０２２３】
その通信品質が低すぎるときに、新しい基地局を要求するために基地局が従う手順を図２７に示す。
【０２２４】
検討中の通信局は動作２３０１で基地局モードで動作し、その制御装置３０６はテスト２３０２を実行し、その間に、
−使用可能なエネルギーの品質ＮＢが品質ＮＢ＿ｍｉｎより低いか否か、
−無線信号の品質ＱＲが値ＱＲ＿ｍｉｎより低いか否かを判定する。
【０２２５】
テスト２３０２の結果が否定である場合、動作２３１０中に制御装置３０６は時間Ｔ７の間待機し、次にテスト２３０２を反復する。テスト２３０２の結果が肯定である場合、動作２３０３中に制御装置３０６は新しい基地局を探す手順を実行する。
【０２２６】
動作２３０３に続いて、テスト２３０４中に制御装置３０６は、新しい基地局が見つかったか否かを判定する。テスト２３０４の結果が肯定である場合、動作２３０５中に値ＤＢは値「１」に設定され、次に、動作２３０６中に検討中の基地局の動作モードが移動局モードに切り替えられる。
【０２２７】
テスト２３０４の結果が否定である場合、テスト２３０７中に制御装置３０６は、使用可能なエネルギーの品質ＮＢが値ＮＢ−ｍｉｎより低いか否かを判定する。
【０２２８】
テスト２３０７の結果が肯定である場合、動作２３０６を実行する。テスト２３０７の結果が否定である場合、動作２３０９中に制御装置３０６は時間Ｔ８の間待機し、次にテスト２３０２を反復する。
【０２２９】
当然、いかなる接続も活動状態ではない場合のみ、図２７に示す手順に従うことができる。そうではない場合、動作２３０６の前に接続非活動化動作を追加することが必要である。
【０２３０】
移動局の場合（図２８を参照のこと）、動作２８０１で移動局が基地局を指定するメッセージ「ｎｅｗ−ｂａｓｅ−ｒｅｑｕｅｓｔ」を受信すると、移動局の制御装置３０６はまず第１にテスト２８０２を実行し、その間に、一方では使用可能なエネルギーの品質ＮＢが品質ＮＢ＿ｍａｘを上回り、同時にもう一方では無線信号の品質ＱＲが値ＱＲ＿ｍａｘを上回るか否かを判定する。
【０２３１】
テスト２８０２の結果が否定である場合、動作２８０７中に制御装置３０６は基地局にメッセージ「ｎｅｗ−ｂａｓｅ−ｒｅｊｅｃｔ」を送信し、従って、その動作モードを変更する手順を終了する。テスト２８０２の結果が肯定である場合、動作２８０３中に中央ユニット３０６は基地局にメッセージ「ｎｅｗ−ｂａｓｅ−ａｃｃｅｐｔ」を送信する。
【０２３２】
動作２８０３に続いて、制御装置３０６はテスト２８０４中に、それが基地局モードで機能するのに必要な情報を受信したか否かを判定する。
【０２３３】
テスト２８０４の結果が否定である場合、それを反復する。テスト２８０４の結果が肯定である場合、動作２８０５中に、検討中の移動局の制御装置３０６は初期基地局に肯定応答メッセージ「ａｃｋ」を送信する。次に、動作２８０６中に制御装置３０６は、基地局動作モードに切り替わる。その場合、初期基地局の失敗のために動作モードを切り替える手順は終了する。
【０２３４】
通信品質を評価するため、第１の方法は伝送誤り率を決定することからなる。第２の方法については図２９に示す。これは、定期的タイム・スロットで実行するためのものである。まず第１に、動作２９０１中に基地局の制御装置３０６は、図２９で使用する変数の初期設定を行う。次に、動作２９０２中に制御装置３０６により、セル内のすべての移動局にメッセージ「ｓｉｇｎａｌ−ｓｔｒｅｎｇｔｈ−ｒｅｑｕｅｓｔ」が同報通信される。
【０２３５】
次に、各移動局は、受信したメッセージ「ｓｉｇｎａｌ−ｓｔｒｅｎｇｔｈ−ｒｅｑｕｅｓｔ」のパワーを表すメッセージを返す（これについては、ＤＥＣＴ規格内のプリミティブ「ＰＬ＿ＭＥ＿ＳＩＧ＿ＳＴＲ＿ｒｅｑ」の使い方を参照のこと）。
【０２３６】
すべての応答が基地局に到達するように、基地局は動作２９０３で時間Ｔ９の間待機してから、動作２９０４を実行し、その間に変数ＱＲが動作２９０３中に得られた応答の値の平均として決定される。
【０２３７】
図３０は、以前は基地局であり、基地局モードで正しく機能する能力を回復した移動局が従う手順を示している。
【０２３８】
この通信局は動作３１０１で移動局動作モードになっており、その制御装置３０６はテスト３１０２を実行し、その間に、
−使用可能なエネルギーの品質ＮＢが品質ＮＢ＿ｍａｘを上回るか否か、
−無線信号の品質ＱＲが値ＱＲ＿ｍａｘを上回るか否か、
−変数ＤＢの値が「１」かをすべて同時に判定する。
【０２３９】
テスト３１０２の結果が否定である場合は、制御装置３０６は動作３１１０を実行し、その間に時間Ｔ１０の間待機する。次にテスト３１０２を反復する。
【０２４０】
テスト３１０２の結果が肯定である場合、動作３１０３中に制御装置３０６は変数ＤＢに値「０」を与える。次に動作３１０４中に制御装置３０６はチャネルＱ上で聴取する。次に、テスト３１０５中に制御装置３０６は基地局であるためのその能力が現在活動状態の基地局の能力より優れているか否かを判定する。
【０２４１】
テスト３１０５の結果が否定である場合、手順は（失敗により）終了する。テスト３１０５の結果が肯定である場合、動作３１０６中に制御装置３０６は活動状態の基地局にメッセージ「ｃｈｇ−ｂａｓｅ−ｒｅｑｕｅｓｔ」を送信する。動作３１０６中に、検討中の移動局は、本発明によりしかも基地局モードで機能する通信局が応答できるように十分な期間の間待機してから、テスト３１０７を実行する。
【０２４２】
次に、テスト３１０７中に制御装置３０６は、活動状態の基地局からメッセージ「ｃｈｇ−ｂａｓｅ−ａｃｃｅｐｔ」を受信したか否かを判定する。テスト３１０７の結果が否定である場合、制御装置３０６は基地局を変更するための要求が失敗したと見なし、手順は（失敗して）終了する。テスト３１０７の結果が肯定である場合、動作３１０８中に制御装置３０６は動作モードを基地局モードに切り替える。次に手順は（成功して）終了する。
【０２４３】
図２４は、本発明の第４及び第６の態様による通信装置の第２の機能モードを示している。このような通信装置がどのような基地局も検出しておらず（従来技術により、或いは動作４１１又は４１５を含むが、動作４０２を再現せずに図４に示すすべての動作及びテストを実行した後で）、実施すべき情報伝送を有する場合、このような通信装置は伝送中の間、基地局の役割を果たす。
【０２４４】
このため、動作２４０１中に、検討中の通信局は実施すべき情報伝送を有すると判定する。次に、通信装置は図４の動作４０１〜４０３を再現し、
−通信装置にアクセス権を提供する基地局が検出された場合、通信装置はその基地局上にロックするが、
−いかなる基地局も検出されない場合、通信装置は動作２４０２を実行し、その間に制御装置３０６は装置の動作モードを基地局モードに切り替える。
【０２４５】
次に、動作２４０３中に装置は、同期信号を定期的に伝送しながら所定の期間Ｔ５の間待機する。この期間は、装置がそれにロックするためにそれと通信することを希望する移動局のために時間を残すためのものである。次に、動作２４０４中に装置は、それと通信することを希望する移動局に識別要求を伝送する。次に、動作２４０５中に所定の期間Ｔ６が経過するのを待つが、その期間は呼び出された移動局が応答できるだけの十分なものでなければならない。
【０２４６】
次に、テスト２４０６中に装置は、少なくとも１つの移動局から識別要求に対する応答を受信したか否かを判定する。テスト２４０６の結果が否定である場合、動作２４１０中に制御装置３０６により装置の機能モードを移動局モードに切り替える。テスト２４０６の結果が肯定である場合、テスト２４０７中に装置は、移動局の１つのアイデンティティがそれと通信しなければならない通信局のアイデンティティに対応するか否かを判定する。
【０２４７】
テスト２４０７の結果が否定である場合、動作２４１０を実行する。テスト２４０７の結果が肯定である場合、動作２４０８中に、装置が行うべき伝送が実施される。次に、伝送の終わりに、動作２４０９中に伝送が終了する。最後に動作２４１０を実行する。
【０２４８】
第１の変形態様によれば、他の移動局から送出されたすべての通信要求が拒否され、基地局は通信を要求する各移動局のアイデンティティをテストし、動作２４０８中にそれと通信していた移動局から送出され、それに向けられた通信のみを受け入れる。従って、この第１の変形態様によれば、他の移動局は動作モードを変更するための装置の能力から恩恵を受けることはない。
【０２４９】
第２の変形態様によれば、装置が基地局として動作している間に、移動局がそれにロックし、通信を確立しようと試みた場合、試みが放棄されるまで、又は試みが成功した場合は通信の終わりまで、或いは他の基地局がそれに代わって機能するまで、装置は基地局として動作する（図９〜図１３を参照のこと）。この第２の変形態様を実現するため、動作２４０９後であって動作２４１０を実行する前に、通信局の制御装置３０６は、テスト（図示せず）中に、それとの接続が活動状態であるか否かを判定し、肯定の場合に、定期的タイム・スロットでこのテストを反復する。このテストによりいかなる接続も活動状態ではないと判定された場合、動作２４１０を実行する。
【０２５０】
図３１は、１つ及び同一のローカル・エリア又は「セル」４１００内の以下のような様々な通信局を示している。
【０２５１】
−他の通信局に同期信号を供給する、いわゆる「初期」基地局４１０１と、
−最初に移動局動作モードで動作し、即ち、通信装置４１０１によって供給された同期信号を使用する、２つの通信装置又は通信局４１０２及び４１０３である。
【０２５２】
一例として、
−通信局４１０２及び４１０３は、ＡＢタイプのデータ・プロファイルＤＥＣＴ規格に適合するマルチメディア端末であり、このＤＥＣＴプロファイルにより特に、通信装置４１０２及び４１０３は最高５５２ｋビット／秒まで及ぶ可能性のある伝送速度で無線リンク上でデータを（例えば、ファイルの形で）交換することができ、
−通信装置４１０２及び４１０３は、セル４１００内で基地局又は移動局として動作することができ、
−基地局４１０１は、ＤＥＣＴ規格が規定する音声通信又はデータ通信の両方をサポートする従来タイプのＤＥＣＴ基地局である。
【０２５３】
本発明の第８の態様による通信装置４１０２及び４１０３は、機密モード又は通常モードでの伝送を要求するためにそれぞれのユーザによって構成することができる。
【０２５４】
本発明の第８に態様による各装置４１０２又は４１０３は、その初期設定時に移動局動作モードに設定される。
【０２５５】
初期設定が行われると、移動局として動作する各通信装置は、移動局がロックされた基地局を介して接続を開始するか又は受け入れることができる。次に、各装置は、やはり同じ基地局にロックされ、移動局モードで動作している他の装置と通信することができ、特に基地局が他のネットワーク、例えば電話網へのアクセス点を提供するとき、基地局自体と通信することができる。
【０２５６】
但し、同期信号を送信する基地局がまったくない場合、従来技術では、移動局間の通信は一切不可能であることに留意されたい。
【０２５７】
図３２は、本発明の第８の態様による各通信装置４１０２又は４１０３がバス４２０１によって、
−制御装置４２０６と、
−ＤＥＣＴベースバンド・ユニット４２０２と、
−それ自体がさらに送信／受信アンテナ４２０７に接続されたＤＥＣＴ無線ユニット４２０３と、
−ランダム・アクセス・メモリ４２０４と、
−読取り専用メモリ４２０５と、
−キーボード４２１０と、
−ディスプレイ４２０８と、
−電源４２０９（電池、バッテリ、又は商用電源）と、
−入出力インタフェース４２１１と相互接続されて構成されていることを示す図である。
【０２５８】
制御装置４２０６及びＤＥＣＴベースバンド・ユニット４２０２は、実際にはプロセッサと、読取り専用メモリ４２０５に格納されたオペレーティング・プログラムからなる。
【０２５９】
ＤＥＣＴベースバンド・ユニット４２０２及びＤＥＣＴ無線ユニットは、既知のタイプのものであり、本発明の時点までに知られているＤＥＣＴ規格のすべての能力により、基地局の動作モードと移動局の動作モードを実現するように適合されている。
【０２６０】
制御装置４２０６は、本発明の第７の態様の方法と、特に図３６及び図３７に示す流れ図を実現するように適合されている。
【０２６１】
ランダム・アクセス・メモリ４２０４は、便宜上、それらが含むデータと同じ名前をそれぞれ有するレジスタ内に、
−現行動作モードである移動局又は基地局を表す変数「ＯＭ」と、
−データの受信又は送信用に予約されたメモリ・エリア「Ｔｘ／Ｒｘ」とを格納する。
【０２６２】
読取り専用メモリ４２０５は、便宜上、それらが含むデータと同じ名前をそれぞれ有するレジスタ内に、
−そのアイデンティティを表す情報項目と、
−装置の動作能力を表す情報項目「ＯＣ」であって、
・「ＢＳ」：装置は基地局モードのみで動作することができる、
・「ＭＳ」：装置は移動局モードのみで動作することができる、
・「ＢＳ／ＭＳ＿ｍａｎｕａｌ」：装置はそのユーザの介入により動作モードを変更することができる、
・「ＢＳ／ＭＳ＿ａｕｔｏ」：装置は自動的に動作モードを変更することができる、
・「ＭＳ／ＭＳ＿ｄｉｒｅｃｔ」：装置は、その「ＯＣ」情報項目が値「ＭＳ／ＭＳ＿ｄｉｒｅｃｔ」を取る他の移動局と直接通信することができる、
という値を取ることができる情報項目「ＯＣ」と、
−基地局動作モードから移動局動作モードへ及びその逆の自動又は手動切替え能力を表す情報項目「ＢＡ」（「ＢＡ」は、この能力が存在するときに「真」になり、そうではないときに「偽」になる）と、
−時間遅延値Ｔ１〜Ｔ７とを格納する。
【０２６３】
読取り専用メモリ４２０５は、コンピュータ又はマイクロプロセッサによって読取り可能であり、本発明の第７の態様の方法の実現を可能にすることを特徴とするコンピュータ・プログラムの命令を格納する、情報記憶手段を構成する。変形態様によれば、読取り専用メモリ４２０５は、部分的又は全体的に取外し可能であり、例えば、磁気テープ、フラッシュ・メモリ、ディスケット、又はＣＤ−ＲＯＭを含む。
【０２６４】
通信装置４１０２と４１０３との間の親展通信をセットアップするために制御装置４２０６が従う手順を図３６及び図３７に示している。
【０２６５】
図３３は、ユーザが従来技術により通常通信モードを選択した場合に、基地局４１０１を介して２つの通信装置４１０２と４１０３との間で暗号化通信を確立する方法を示している。従って、この通信モードは、通信装置４１０３との通信を開始するために、装置４１０２のユーザによって通常通信モードが選択されたときに使用される。
【０２６６】
通信装置４１０２が通信装置４１０３との通信を開始しなければならないとき、基地局４１０１と接触して接続４３０１を要求するステップを実行する。次に、基地局４１０１は移動局４１０３と接触して接続４３０２を要求するステップを実行する。このようなステップ４３０１及び４３０２のそれぞれの間、これらのステップに関わる通信局間で接続パラメータ（通過帯域、暗号化など）について交渉する。さらに、接続に関わる様々なユニットを認証するための手順ならびにデータを暗号化する働きをする暗号化キーの交換が行われる。これらの手順は、ＤＥＣＴ規格のネットワーク層のレベルで行われる。
【０２６７】
次に、データの伝送を行うことができる。移動局４１０２から移動局４１０３に渡されるデータの場合、第１の伝送４３０３はまず通信装置４１０２と基地局４１０１との間で行われる。データは、まずＤＥＣＴ規格のチャネル・アクセス（ＭＡＣ）層のレベルで暗号化される。これらのデータを基地局が受信すると、そのデータはまず基地局のＭＡＣ層のレベルで暗号解読され、その後、伝送４３０４中に基地局４１０１によって通信装置４１０３に送信するために再暗号化される。
【０２６８】
但し、この状況では、本発明以前の従来技術により、基地局４１０１が基地局４１０１を通過したすべての暗号解読済みデータを処理又は格納できることに留意されたい。従って、通信装置４１０２及び４１０３の観点から見ると、基地局４１０１のレベルで、通信のセキュリティに「穴」が存在し、基地局４１０１は通信を「聴取」することができる。
【０２６９】
図３４は、従来技術により、基地局４１０１を介して移動局４４１０と４４１１との間で独自開発の暗号化アルゴリズムの使用によって暗号化した通信を確立する方法を示している。
【０２７０】
まず第１に、２つのステップ４４０１及び４４０２は図３３に示すフェーズ４３０１及び４３０２と同じであるが、暗号化キーの交換は行われない。次に、ＤＥＣＴ規格のネットワーク信号層のレベルではなく、そのユーザ層のレベルに位置するステップ４４０３中に、暗号化キー交換が行われる。これは、これらのデータが通信局４４１０と４４１１との間で基地局４１０１によって透過的に伝送されることを意味する（即ち、基地局はこれらのデータをユーザ・データと見なし、従って、通常はＤＥＣＴネットワーク層のレベルで実現される信号メッセージとは異なり、これらのデータの解釈を試みる必要がないことを意味する）。
【０２７１】
フェーズ４４０３が終了すると、暗号化データは、フェーズ４４０４中に基地局４１０１のレベルで機密かつ透過的に伝送することができる。移動局４４１０から移動局４４１１に渡されるデータの場合、データは移動局４４１０のユーザ層のレベルで暗号化され、移動局４４１１のユーザ層のレベルで暗号解読される。
【０２７２】
この解決策では、移動局４４１０及び４４１１がどちらも同じ独自の暗号化アルゴリズムを使用しなければならず、これがその使用を制限している。
【０２７３】
図３５は、図３３及び図３４と同様に、ユーザがその通信について親展モードを選択した場合に本発明が通信装置４１０２と４１０３との間の通信の機密性を提供する方法を示している。
【０２７４】
ステップ４５０１及び４５０２は、通信装置４１０２と４１０３との間のＤＥＣＴ通信の確立に対応し、暗号化キーの交換は一切行われない。従って、これらのステップ４５０１及び４５０２はステップ４４０１及び４４０２と同じである。初期基地局４１０１の助けを借りて通信装置４１０２と４１０３との間の接続が確立されると、通信装置４１０３に到達するために、通信装置４１０２は透過的に基地局４１０１を通過するメッセージ４５０３を送信する。このメッセージ４５０３は、親展モードで伝送するための要求と、親展伝送中に装置４１０３が動作しなければならない動作モードとを含む。次に装置４１０３は、メッセージ４５０４により、親展通信要求の受入れ又は拒否によって応答する。
【０２７５】
図３５に示す例では、通信装置４１０３は移動局動作モードでのその動作に関する命令を受信し、メッセージ４５０４は親展通信の受入れを意味する。
【０２７６】
メッセージ４５０４の受信に続いて、通信装置４１０２は、ステップ４５０５及び４５０６中に、ＤＥＣＴ規格によって規定された適切な手順を実施することにより、通信装置４１０３との接続を終了する。
【０２７７】
基地局４１０１を介した、通信装置４１０３との接続が打ち切られると、通信装置４１０２は自動的に基地局動作モードに切り替わる。その後、通信装置４１０２は「新しい基地局」と呼ばれる。次に、通信装置４１０３は基地局４１０１との切離し手順を実行した後、新しい基地局４１０２との同期を取るための手順を開始する。通信装置４１０３が通信装置４１０２と同期していると、通信装置４１０３は、通信装置４１０２と４１０３との間で機密データを交換するために、暗号化モードで接続を確立するためにＤＥＣＴ規格によって定義された手順（メッセージ４５０７及び４５０８の交換）を使用する。
【０２７８】
但し、他のすべての通信局は通信装置４１０２及び４１０３で構成されるセルの外部にあるので、セキュリティの「穴」はもはや存在しないことになる。
【０２７９】
通信装置４１０２と４１０３との間の通信の終了で、移動局動作モードに戻るために、通信装置４１０２はもう一度切り替わる。
【０２８０】
図３６及び図３７は、親展通信モードを確立するための本発明の第７及び第８の態様による通信装置の動作の２通りの流れ図を概略で示す図である。図示する例では、通信装置４１０３と通信しようと試みるのは通信装置４１０２である。図３６及び図３７に示す手順を実施したときに、他の接続が一切進行中ではないものと見なす。
【０２８１】
通信装置４１０２のユーザが、通信装置４１０３との親展通信を確立したいと希望する場合、そのユーザはそのために通信装置４１０２を構成する。テスト４６０１中に制御装置４２０６は、ユーザが使用するソフトウェア・アプリケーションによって親展発呼要求が行われたか否かを判定する。
【０２８２】
テスト４６０１の結果が否定である場合、装置４１０２は従来技術の通りに動作する。テスト４６０１の結果が肯定である場合、制御装置４２０６は、装置４１０３を呼び出すために接続の確立に関するＤＥＣＴ規格のネットワーク層手順を使用する。次に、ステップ４６０３は、通信時間を確立できるようにするために持続期間Ｔ４１の間の待機からなる。次に、テスト４６０４中に制御装置４２０６は、通信装置４１０３との接続が正しく確立されたか否かを判定する。テスト４６０４の結果が否定である場合、制御装置４２０６は動作中にソフトウェア・アプリケーションに対する通信拒否動作４６１３を実行する。例えば、ソフトウェア割込みがトリガされ、ユーザは非親展伝送を実行するか又は伝送を放棄するかのいずれかを選択しなければならない。テスト４６０４の結果が肯定である場合、テスト４６０５中に制御装置４２０６は、一方では読取り専用メモリ４２０５のレジスタＯＣの値がＢＳ／ＭＳ＿ａｕｔｏになり、もう一方では変数ＢＡの値が「真」になるか否かを同時に判定することにより、この装置４１０２について通信装置４１０２の自動切替えが許可されるか否かを判定する。
【０２８３】
テスト４６０５の結果が否定である場合、動作４６０６中に通信装置４１０２は、通信装置４１０３が基地局動作モードに切り替わらなければならないことを指定し、親展発呼を通信装置４１０３に送信する。次に、ステップ４６０７中に、制御装置４２０６は持続期間Ｔ４２を経過するのを待つ。次に、テスト４６０８中に制御装置４２０６は、提案された親展通信の条件の受入れを表す「ｃｏｎｆｉｄｅｎｔｉａｌ＿ａｃｃｅｐｔ」メッセージを通信装置４１０３から受信したかどうかを判定する。テスト４６０８の結果が否定である場合、動作４６１３中に通信拒否手順がトリガされる。テスト４６０８の結果が肯定である場合、動作４６０９中に、ＤＥＣＴ規格の既知の手順を使用して通信装置４１０２と４１０３との間の接続が終了される。
【０２８４】
但し、同時に、基地局モードでの動作を開始するために、通信装置４１０３はその動作モードを切り替えることに留意されたい（図３７の動作４７１５を参照のこと）。
【０２８５】
次に、動作４６１０中に通信装置４１０２は、通信装置４１０３によって構成される新しい基地局との同期を取る。
【０２８６】
次に、動作４６１１中に、通信装置４１０２は持続期間Ｔ４３が経過するのを待つ。次に、テスト４６１２中に制御装置４２０６は、通信装置４１０２が通信装置４１０３と同期しているか否かを判定する。テスト４６１２の結果が否定である場合、動作４６１３を実行する。テスト４６１２の結果が肯定である場合、動作４６２１中に制御装置４２０６は、ＤＥＣＴ規格の既知の手順により暗号化モードでの接続要求を新しい基地局４１０３に送信し、通信装置４１０２と４１０３との間で通信が親展モードで行われる。
【０２８７】
テスト４６０５の結果が肯定である場合、動作４６１４中に通信装置４１０２は、通信装置４１０３が引き続き移動局動作モードでなければならないことを指定して、親展発呼を通信装置４１０３に送信する。次に、ステップ４６１５中に、制御装置４２０６は持続期間Ｔ４４が経過するのを待つ。次に、テスト４６１６中に制御装置４２０６は、提案された親展通信の条件の受入れを表す「ｃｏｎｆｉｄｅｎｔｉａｌ＿ａｃｃｅｐｔ」メッセージをそれが通信装置４１０３から受信したか否かを判定する。テスト４６１６の結果が否定である場合、動作４６１３中に通信拒否手順がトリガされる。テスト４６１６の結果が肯定である場合、動作４６１７中に、ＤＥＣＴ規格の既知の手順を使用して通信装置４１０２と４１０３との間の接続が終了される。
【０２８８】
次に、動作４６１８中に制御装置４２０６は、基地局動作モードへの自動切替えを実行し、即ち、特にそれと共に同調すべき基地局を探している移動局がそれとの同期を取れるように意図された同期信号の送信を開始し、単一通信局４１０３へのアクセス権を割り振る。次に、動作４６１９中に制御装置４２０６は持続期間Ｔ４５が経過するのを待つ。次に、テスト４６２０中に制御装置４２０６は、通信装置４１０２との接続が有効であるか否かを判定する。テスト４６２０の結果が否定である場合、動作４６１３を実行する。テスト４６２０の結果が肯定である場合、装置４１０２と４１０３との間で通信を実行する。
【０２８９】
親展通信が終了すると、基地局動作モードに切り替わった通信局はもう一度動作モードを変更する（不図示の動作）。
【０２９０】
親展通信に関わる２つの通信装置は前の基地局との同期を取り、それらがもう一度その基地局と通信できることを知らせるために、変形態様として、ＤＥＣＴ規格によって指定された接続手順を開始することができる。
【０２９１】
初期基地局とは非同期化する前（親展通信の確立の直前、動作４６１０又は４７０７中、或いは関係装置が基地局動作モードに切り替わる前のステップ４６１８及び４７１５中）に、この親展通信の持続期間中にそれが使用不能であることを知らせるために、通信装置４１０２及び４１０３はＤＥＣＴ規格により切離し手順を開始することができる。
【０２９２】
但し、メッセージ「ｃｏｎｆｉｄｅｎｔｉａｌ＿ｃａｌｌ」（動作４６０６及び４６１４）と「ｃｏｎｆｉｄｅｎｔｉａｌ＿ａｃｃｅｐｔ」（テスト４６０８及び４６１６）はＤＥＣＴプロトコル信号の一部を形成しないが、このメッセージはＤＥＣＴ規格によりユーザ・データとして転送されることに留意されたい。従って、このメッセージは通信装置４１０２と４１０３との間で初期基地局４１０１によって透過的に転送される。
【０２９３】
図３７は、通信装置４１０２から「ｃｏｎｆｉｄｅｎｔｉａｌ＿ｃａｌｌ」メッセージを受信したときに、即ち、このようなメッセージの受信に関するテスト４７０１が肯定の結果を示したときに通信装置４１０３がどのように動作するかを示している。
【０２９４】
装置４１０３の制御装置４２０６は、テスト４７０２中に、それが通信を受け入れるか否かを判定する。
【０２９５】
テスト４７０２の結果が否定である場合、装置４１０３は、通信装置４１０２との親展通信の試みが失敗したことを通信装置４１０３のユーザに通知するための警告トリガ動作４７１１を実行した後、引き続き移動局動作モードになる。
【０２９６】
テスト４７０２の結果が肯定である場合、テスト４７０４中に通信装置４１０３の制御装置４２０６は、通信装置４１０３が移動局モードで動作しなければならないことを「ｃｏｎｆｉｄｅｎｔｉａｌ＿ｃａｌｌ」メッセージが規定しているか否かを判定する。
【０２９７】
テスト４７０４の結果が否定である場合、テスト４７１２中に通信装置４１０３の制御装置４２０６は、一方では読取り専用メモリ４２０５のレジスタＯＣの値がＢＳ／ＭＳ＿ａｕｔｏになり、もう一方では変数ＢＡの値が「真」であるか否かを同時に判定することにより、この装置４１０３について自動切替えが許可されているか否かを判定する。
【０２９８】
テスト４７１２の結果が否定である場合、装置４１０３は動作４７１１を実行し、引き続き移動局動作モードになる。テスト４７１２の結果が肯定である場合、動作４７１３中に通信装置４１０３の制御装置４２０６は「ｃｏｎｆｉｄｅｎｔｉａｌ＿ａｃｃｅｐｔ」メッセージを通信装置４１０２に送信する。
【０２９９】
次に、テスト４７１４中に通信装置４１０３は、通信装置４１０２との通信を終了するか否かを判定する。テスト４７１４の結果が否定である場合、それを反復する。テスト４７１４の結果が肯定である場合、動作４７１５中に通信装置４１０３は基地局動作モードに切り替わり、アクセス権を単一通信装置４１０２に割り振る。
【０３００】
次に、動作４７１６中に制御装置４２０６は持続期間Ｔ４７が経過するのを待つ。次に、テスト４７１７中に通信装置４１０３の制御装置４２０６は、通信装置４１０２との通信が正しいか否かを判定する。
【０３０１】
テスト４７１７の結果が否定である場合、警告動作４７１１がトリガされ、通信装置４１０３は引き続き移動局動作モードになる。テスト４７１７の結果が肯定である場合、通信装置４１０２と４１０３との間で親展通信が行われる。
【０３０２】
テスト４７０４の結果が肯定である場合、動作４７０５中に通信装置４１０３の制御装置４２０６は、通信装置４１０２に「ｃｏｎｆｉｄｅｎｔｉａｌ＿ａｃｃｅｐｔ」メッセージを送信する。次に、テスト４７０６中に通信装置４１０３の制御装置４２０６は、装置４１０２との通信を終了するか否かを判定する。テスト４７０６の結果が否定である場合、それを反復する。
【０３０３】
テスト４７０６の結果が肯定である場合、動作４７０７中に通信装置４１０３は通信装置４１０２との同期を取り、その後、通信装置４１０２が基地局動作モードで動作する（図３６の動作４６１８を参照のこと）。
【０３０４】
次に、動作４７０８中に制御装置４２０６は持続期間Ｔ４６が経過するのを待つ。次に、テスト４７０９中に制御装置４２０６は、新しい基地局４１０２との同期が正しいか否かを判定する。テスト４７０９の結果が否定である場合、動作４７１１を実行する。テスト４７０９の結果が肯定である場合、動作４７１０中に制御装置４２０６はＤＥＣＴ規格の既知の手順により新しい基地局４１０２に接続要求を送信し、通信装置４１０２と４１０３との間で通信が親展モードで行われる。
【０３０５】
親展通信が３つの通信装置に関係する必要がある場合、図３６及び図３７に示す流れ図を変更するいくつかの方法を使用することができる。
【０３０６】
−基地局が図３６に示すステップ４６１４を実現する通信局である場合、この通信装置は２つの親展メッセージを送信し、返答として２つの受入れメッセージを予想する。変形態様によれば、受入れメッセージのうちの１つだけを受信すると、通信手順の実施を続行するか、又はこれに反して放棄することになる。
【０３０７】
親展通信を開始する装置、即ち、図３６に示すステップ４６０６を実現する装置が基地局動作モードに切り替わることができない場合、その装置は、通信に関わる他の通信装置のいずれが基地局動作モードに切り替わらなければならないかを判定しなければならない。
【０３０８】
第１の方法は、まず関係する２つの装置のうちの無作為の１つによって手順を実行し、次に、失敗した場合に（この装置からの応答がないことによる）関係するもう一方の装置によって実行することからなり、その装置は関係する他の通信装置のそれぞれにアクセス権を割り振り、それらに接続するよう要求する。
【０３０９】
第２の方法は、その変数ＢＡ及びＯＣの値について、関係する通信装置のそれぞれに質問し、次に、それが基地局動作モードに切り替わることができることを示して応答した装置の１つを選択することからなる。
【０３１０】
【発明の効果】
以上説明したように、本発明によれば、使用可能な基地局が存在しないときであっても、情報を送信する必要のある通信局は、この情報の送信が可能になり、さらに、情報の送信先以外の移動局による干渉を避けることができる。
【図面の簡単な説明】
【図１】従来技術によりネットワーク内にそれを挿入するための移動局の動作流れ図を概略で示す図である。
【図２】本発明の第１、第３、第５の態様の通信方法を実現するように適合された本発明の第２、第４、第６の態様による通信装置を含むネットワークを概略で示す図である。
【図３Ａ】本発明の第２の態様による通信装置に組み込まれる電子回路のアーキテクチャを概略で示す図である。
【図３Ｂ】本発明の第４及び第６の態様による通信装置に組み込まれる電子回路のアーキテクチャを概略で示す図である。
【図４】ネットワーク内にそれを挿入するための本発明の第２、第４、第６の態様による通信装置の動作流れ図を概略で示す図である。
【図５】図４に示す流れ図の一部を示す図である。
【図６Ａ】基地局モードで機能することに関連するこの装置の能力を基地局に通知するために本発明の第２の態様による通信装置によって送信される情報の構成を概略で示す図である。
【図６Ｂ】基地局モードで機能することに関連するこの装置の能力を基地局に通知するために本発明の第４及び第６の態様による通信装置によって送信される情報の構成を概略で示す図である。
【図７】移動局がセルに加わるか又はセルを去るときに、本発明の第２、第４、第６の態様による通信装置間で行われる情報の交換を概略で示す図である。
【図８Ａ】移動局がセルに加わるか又はセルを去るときに、本発明の第２、第４、第６の態様による通信装置間で行われる情報の交換を概略で示す図である。
【図８Ｂ】移動局がセルに加わるか又はセルを去るときに、本発明の第２、第４、第６の態様による通信装置間で行われる情報の交換を概略で示す図である。
【図９】基地局を変更するための本発明の第２、第４、第６の態様による通信装置の動作流れ図を概略で示す図である。
【図１０】基地局を変更するための本発明の第２、第４、第６の態様による通信装置の動作流れ図を概略で示す図である。
【図１１】基地局を変更するための本発明の第２、第４、第６の態様による通信装置の動作流れ図を概略で示す図である。
【図１２】基地局を変更するための本発明の第２、第４、第６の態様による通信装置の動作流れ図を概略で示す図である。
【図１３】図９〜図１２の流れ図により通信装置間で交換されるメッセージの概略時間表現である。
【図１４Ａ】基地局モードで機能している移動局の機能に関する情報を収集するために本発明の第２の、第４、第６の態様による通信装置によって送信される情報の構成を概略で示す図である。
【図１４Ｂ】基地局モードで機能している移動局の機能に関する情報を収集するために本発明の第２の、第４、第６の態様による通信装置によって送信される情報の構成を概略で示す図である。
【図１５】基地局モードで機能している移動局の機能に関する情報を収集するために本発明の第２の、第４、第６の態様による通信装置間で交換されるメッセージを概略で示す図である。
【図１６】基地局モードで機能している移動局の機能に関する情報を収集するために本発明の第２の、第４、第６の態様による通信装置間で交換されるメッセージを概略で示す図である。
【図１７】現況技術で既知の物理的フレーム構造を概略で示す図である。
【図１８Ａ】現況技術によるセル内部での通信を概略で示す図である。
【図１８Ｂ】本発明の第２、第４、第６の態様の目的である装置によって実現されるセル分割を概略で示す図である。
【図１８Ｃ】本発明の第２、第４、第６の態様の目的である装置によって実現されるセル分割を概略で示す図である。
【図１９】内部通信中にセルを分割するための本発明の第２、第４、第６の態様による通信装置の動作流れ図を概略で示す図である。
【図２０】内部通信中にセルを分割するための本発明の第２、第４、第６の態様による通信装置の動作流れ図を概略で示す図である。
【図２１Ａ】内部通信中にセルを分割するために本発明の第２、第４、第６の態様による通信装置間で行われる情報交換を概略で示す図である。
【図２１Ｂ】内部通信中にセルを分割するために本発明の第２、第４、第６の態様による通信装置間で行われる情報交換を概略で示す図である。
【図２２】内部通信中にセルを分割するために本発明の第２、第４、第６の態様による通信装置間で行われる情報交換を概略で示す図である。
【図２３】基地局として機能するその能力を定義する基準に応じて移動局を分類する際の流れ図を概略で示す図である。
【図２４】基地局がない場合に通信するために最初に移動局として機能している通信局によって実現される流れ図を概略で示す図である。
【図２５】図６Ｂに示すメッセージにより基地局の変更を要求するメッセージの受信時に、最初に移動局として機能している通信局によって実現される流れ図を概略で示す図である。
【図２６】外部ネットワークに接続された通信局によって実現される流れ図を概略で示す図である。
【図２７】この機能モードを遂行するその能力が低下したときに、最初に基地局として機能している通信局によって実現される流れ図を概略で示す図である。
【図２８】基地局の変更を要求するメッセージの受信時に、最初に移動局モードで機能している通信局によって実現される流れ図を概略で示す図である。
【図２９】無線伝送品質を決定するために、基地局モードで機能している通信局によって実現される流れ図を概略で示す図である。
【図３０】基地局モードで機能するその能力が復元されたときに、最初に移動局モードで機能しているがすでに基地局モードで機能していた通信局によって実現される流れ図を概略で示す図である。
【図３１】本発明の第７の態様の通信方法を実現するように適合された本発明の第８の態様による通信装置を有するネットワークを概略で示す図である。
【図３２】本発明の第８の態様による通信装置に組み込まれる電子回路のアーキテクチャを概略で示す図である。
【図３３】従来技術によるネットワークの装置間におけるメッセージ交換の第１のシーケンスを概略で示す図である。
【図３４】従来技術によるネットワークの装置間におけるメッセージ交換の第２のシーケンスを概略で示す図である。
【図３５】本発明の第７及び第８の態様によるネットワークの装置間におけるメッセージ交換のシーケンスを概略で示す図である。
【図３６】本発明の第８の態様による通信装置間の機密通信をセットアップするためのこれらの装置の動作の流れ図を概略で示す図である。
【図３７】本発明の第８の態様による通信装置間の機密通信をセットアップするためのこれらの装置の動作の流れ図を概略で示す図である。
【図１】
0003984763.tif 000002
【図２】
0003984763.tif 000003
【図３Ａ】
0003984763.tif 000004
【図３Ｂ】
0003984763.tif 000005
【図４】
0003984763.tif 000006
【図５】
0003984763.tif 000007
【図６Ａ】
0003984763.tif 000008
【図６Ｂ】
0003984763.tif 000009
【図７】
0003984763.tif 000010
【図８Ａ】
0003984763.tif 000011
【図８Ｂ】
0003984763.tif 000012
【図９】
0003984763.tif 000013
【図１０】
0003984763.tif 000014
【図１１】
0003984763.tif 000015
【図１２】
0003984763.tif 000016
【図１３】
0003984763.tif 000017
【図１４Ａ】
0003984763.tif 000018
【図１４Ｂ】
0003984763.tif 000019
【図１５】
0003984763.tif 000020
【図１６】
0003984763.tif 000021
【図１７】
0003984763.tif 000022
【図１８Ａ】
0003984763.tif 000023
【図１８Ｂ】
0003984763.tif 000024
【図１８Ｃ】
0003984763.tif 000025
【図１９】
0003984763.tif 000026
【図２０】
0003984763.tif 000027
【図２１Ａ】
0003984763.tif 000028
【図２１Ｂ】
0003984763.tif 000029
【図２２】
0003984763.tif 000030
【図２３】
0003984763.tif 000031
【図２４】
0003984763.tif 000032
【図２５】
0003984763.tif 000033
【図２６】
0003984763.tif 000034
【図２７】
0003984763.tif 000035
【図２８】
0003984763.tif 000036
【図２９】
0003984763.tif 000037
【図３０】
0003984763.tif 000038
【図３１】
0003984763.tif 000039
【図３２】
0003984763.tif 000040
【図３３】
0003984763.tif 000041
【図３４】
0003984763.tif 000042
【図３５】
0003984763.tif 000043
【図３６】
0003984763.tif 000044
【図３７】
0003984763.tif 000045